(57)【要約】【課題】基板の搬入および搬出を迅速に行うことが可能な反転装置、およびそれを備えた基板処理装置を提供する。【解決手段】  反転ユニットＲＴ１，ＲＴ２は、固定板３２、固定板３２の一面に対向するように設けられた第１可動板３６ａ、固定板３２の他面に対向するように設けられた第２可動板３６ｂおよびロータリアクチュエータ３８を含む。ロータリアクチュエータ３８は、第１可動板３６ａ、第２可動板３６ｂおよび固定板３２を水平軸ＨＡの周りで回転させる。第１可動板３６ａと固定板３２との間の距離Ｍ２および第２可動板３６ｂと固定板３２との間の距離Ｍ３は、基板の搬出入を行うメインロボットの２つのハンドの高さの差とほぼ等しく設定されている。【選択図】図４
2008166368.tif 000002
【特許請求の範囲】
【請求項１】
基板を第１の軸に垂直な状態で保持する第１の保持機構と、
基板を前記第１の軸に垂直な状態で保持する第２の保持機構と、
前記第１および第２の保持機構を前記第１の軸の方向に重なるように支持する支持部材と、
前記支持部材を前記第１および第２の保持機構とともに前記第１の軸と略垂直な第２の軸の周りで一体的に回転させる回転装置とを備えることを特徴とする反転装置。
【請求項２】
前記第１および第２の保持機構は、前記第１の軸に垂直な一面および他面を有する共通の反転保持部材を含み、
前記第１の保持機構は、
前記共通の反転保持部材の前記一面に設けられ、基板の外周部を支持する複数の第１の支持部と、
前記共通の反転保持部材の前記一面に対向するように設けられた第１の反転保持部材と、
前記共通の反転保持部材に対向する前記第１の反転保持部材の面に設けられ、基板の外周部を支持する複数の第２の支持部と、
前記第１の反転保持部材と前記共通の反転保持部材とが前記第１の軸の方向において互いに離間した状態と前記第１の反転保持部材と前記共通の反転保持部材とが互いに近接した状態とに選択的に移行するように前記第１の反転保持部材および前記共通の反転保持部材の少なくとも一方を移動させる第１の駆動機構とを含み、
前記第２の保持機構は、
前記共通の反転保持部材の前記他面に設けられ、基板の外周部を支持する複数の第３の支持部と、
前記共通の反転保持部材の前記一面に対向するように設けられた第２の反転保持部材と、
前記共通の反転保持部材に対向する前記第２の反転保持部材の面に設けられ、基板の外周部を支持する複数の第４の支持部と、
前記第２の反転保持部材と前記共通の反転保持部材とが前記第１の軸の方向において互いに離間した状態と前記第２の反転保持部材と前記共通の反転保持部材とが互いに近接した状態とに選択的に移行するように前記第２の反転保持部材および前記共通の反転保持部材の少なくとも一方を移動させる第２の駆動機構とを含むことを特徴とする請求項１記載の反転装置。
【請求項３】
前記第１および第２の保持機構は、搬送手段の第１および第２の搬送保持部により搬入される基板をそれぞれ保持し、
前記第１の保持機構による基板の保持位置と前記第２の保持機構による基板の保持位置との間の距離が前記搬送手段の前記第１の搬送保持部による基板の保持位置と前記第２の搬送保持部による基板の保持位置との間の距離にほぼ等しいことを特徴とする請求項２記載の反転装置。
【請求項４】
前記共通の反転保持部材、前記第１の反転保持部材および前記第２の反転保持部材は、前記搬送手段の前記第１および第２の搬送保持部が前記第１の軸の方向に通過可能な切欠き領域を有することを特徴とする請求項３記載の反転装置。
【請求項５】
表面および裏面を有する基板に処理を行う基板処理装置であって、
基板の前記表面と前記裏面とを反転させる反転装置と、
第１および第２の搬送保持部を有し、前記反転装置に対して基板を搬入および搬出する搬送手段とを備え、
前記反転装置は、
基板を第１の軸に垂直な状態で保持する第１の保持機構と、
基板を前記第１の軸に垂直な状態で保持する第２の保持機構と、
前記第１および第２の保持機構を前記第１の軸の方向に重なるように支持する支持部材と、
前記支持部材を前記第１および第２の保持機構とともに前記第１の軸と略垂直な第２の軸の周りで一体的に回転させる回転装置とを備えることを特徴とする基板処理装置。
【請求項６】
前記第１の保持機構による基板の保持位置と前記第２の保持機構による基板の保持位置との間の距離が前記搬送手段の前記第１の搬送保持部による基板の保持位置と前記第２の搬送保持部による基板の保持位置との間の距離にほぼ等しいことを特徴とする請求項５記載の基板処置装置。
【請求項７】
前記第１および第２の保持機構は、前記第１の軸に垂直な一面および他面を有する共通の反転保持部材を含み、
前記第１の保持機構は、
前記共通の反転保持部材の前記一面に設けられ、基板の外周部を支持する複数の第１の支持部と、
前記共通の反転保持部材の前記一面に対向するように設けられた第１の反転保持部材と、
前記共通の反転保持部材に対向する前記第１の反転保持部材の面に設けられ、基板の外周部を支持する複数の第２の支持部と、
前記第１の反転保持部材と前記共通の反転保持部材とが前記第１の軸の方向において互いに離間した状態と前記第１の反転保持部材と前記共通の反転保持部材とが互いに近接した状態とに選択的に移行するように前記第１の反転保持部材および前記共通の反転保持部材の少なくとも一方を移動させる第１の駆動機構とを含み、
前記第２の保持機構は、
前記共通の反転保持部材の前記他面に設けられ、基板の外周部を支持する複数の第３の支持部と、
前記共通の反転保持部材の前記一面に対向するように設けられた第２の反転保持部材と、
前記共通の反転保持部材に対向する前記第２の反転保持部材の面に設けられ、基板の外周部を支持する複数の第４の支持部と、
前記第２の反転保持部材と前記共通の反転保持部材とが前記第１の軸の方向において互いに離間した状態と前記第２の反転保持部材と前記共通の反転保持部材とが互いに近接した状態とに選択的に移行するように前記第２の反転保持部材および前記共通の反転保持部材の少なくとも一方を移動させる第２の駆動機構とを含むことを特徴とする請求項５または６記載の基板処理装置。
【請求項８】
前記共通の反転保持部材、前記第１の反転保持部材および前記第２の反転保持部材は、前記搬送手段の前記第１および第２の搬送保持部が前記第１の軸の方向に通過可能な切欠き領域を有することを特徴とする請求項７記載の基板処理装置。
【請求項９】
前記搬送手段は、前記第１および第２の搬送保持部を進退させる進退機構を含み、
前記第１および第２の搬送保持部の各々は、進退方向に延びる複数の保持部分を有し、
前記共通の反転保持部材、前記第１の反転保持部材および前記第２の反転保持部材の切欠き領域は、前記第１および第２の搬送保持部の前記複数の保持部分が通過可能な複数の切欠き部を含むことを特徴とする請求項８記載の基板処理装置。
【請求項１０】
前記複数の第１の支持部の先端と前記複数の第４の支持部の先端との間の距離および前記複数の第２の支持部の先端と前記複数の第３の支持部の先端との間の距離が前記搬送手段の前記第１の搬送保持部による基板の保持位置と前記第２の搬送保持部による基板の保持位置との間の距離にほぼ等しく設定されたことを特徴とする請求項７〜９のいずれかに記載の基板処置装置。
【請求項１１】
前記共通の反転保持部材は前記支持部材に固定され、
前記第１の駆動機構は、前記第１の反転保持部材と前記共通の反転保持部材とが互いに離間した状態と前記第１の反転保持部材と前記共通の反転保持部材とが互いに近接した状態とに選択的に移行するように前記第１の反転保持部材を前記共通の反転保持部材に相対的に移動させ、
前記第２の駆動機構は、前記第２の反転保持部材と前記共通の反転保持部材とが互いに離間した状態と前記第２の反転保持部材と前記共通の反転保持部材とが互いに近接した状態とに選択的に移行するように前記第２の反転保持部材を前記共通の反転保持部材に相対的に移動させることを特徴とする請求項７〜１０のいずれかに記載の基板処理装置。
【請求項１２】
前記共通の反転保持部材は、前記第１の反転保持部材に対向するように設けられた第３の反転保持部材と、
前記第２の反転保持部材に対向するように設けられた第４の反転保持部材とを含み、
前記複数の第１の支持部は、前記第１の反転保持部材に対向する前記第３の反転保持部材の面に設けられ、
前記複数の第３の支持部は、前記第２の反転保持部材に対向する前記第４の反転保持部材の面に設けられ、
前記第１の駆動機構は、前記第１の反転保持部材と前記第３の反転保持部材とが互いに離間した状態と前記第１の反転保持部材と前記第３の反転保持部材とが互いに近接した状態とに選択的に移行するように前記第１の反転保持部材および前記第３の反転保持部材の少なくとも一方を移動させ、
前記第２の駆動機構は、前記第２の反転保持部材と前記第４の反転保持部材とが互いに離間した状態と前記第２の反転保持部材と前記第４の反転保持部材とが互いに近接した状態とに選択的に移行するように前記第２の反転保持部材および前記第４の反転保持部材の少なくとも一方を移動させることを特徴とする請求項７〜１０のいずれかに記載の基板処理装置。
【請求項１３】
基板の裏面を洗浄する第１の洗浄処理部をさらに備え、
前記搬送手段は、前記反転装置と前記第１の洗浄処理部との間で基板を搬送することを特徴とする請求項５〜１２のいずれかに基板処置装置。
【請求項１４】
基板の表面を洗浄する第２の洗浄処理部とをさらに備え、
前記搬送手段は、前記反転装置、前記第１の洗浄処理部および前記第２の洗浄処理部の間で基板を搬送することを特徴とする請求項１３記載の基板処置装置。
【発明の詳細な説明】
【技術分野】
【０００１】
本発明は、基板に処理を施す基板処理装置に関する。
【背景技術】
【０００２】
従来、半導体ウェハ、フォトマスク用ガラス基板、液晶表示装置用ガラス基板、光ディスク用ガラス基板等の基板に種々の処理を行うために、基板処理装置が用いられている。
【０００３】
例えば、基板の裏面に洗浄処理を行う基板処理装置には、基板の表面と裏面とを反転させるための基板反転装置が設けられる。例えば、特許文献１には、基板反転装置を備えた基板処理装置が記載されている。
【０００４】
このような基板処理装置では、基板の裏面に洗浄処理を行う前に基板反転装置により基板を裏面が上方を向くように反転させる。また、基板の裏面に洗浄処理が行われた後には、基板反転装置によりその基板を表面が上方を向くように再度反転させる。
【特許文献１】特開２００６−１２８８０号公報
【発明の開示】
【発明が解決しようとする課題】
【０００５】
基板反転装置への基板の搬入および基板反転装置からの基板の搬出は、通常、搬送ロボットにより行われる。搬送ロボットには、基板を保持するための２本のハンドが上下に重なるように設けられている。例えば、搬送ロボットが下のハンドで反転前の基板を保持した状態で、基板反転装置から上のハンドで反転後の基板を搬出し、下のハンドで基板反転装置に反転前の基板を搬入する場合には、次の動作が行われる。まず、上のハンドが基板反転装置の高さに位置する状態で基板反転装置内に前進し、反転後の基板を保持して後退する。続いて、下のハンドが基板反転装置の高さに位置するように上下のハンドが上昇した後、下のハンドが基板反転装置内に前進し、反転前の基板を基板反転装置内に載置する。
【０００６】
このように、一方のハンドにより基板反転装置から反転後の基板を搬出した後に反転前の基板を基板反転装置に搬入するために上下のハンドを上下方向に移動させる必要がある。したがって、基板反転装置からの基板の搬出および基板反転装置への基板の搬入に一定の時間を要する。その結果、基板処理装置におけるスループットの向上が妨げられる。
【０００７】
本発明の目的は、基板の搬入および搬出を迅速に行うことが可能な反転装置、およびそれを備えた基板処理装置を提供することである。
【課題を解決するための手段】
【０００８】
（１）第１の発明に係る反転装置は、基板を第１の軸に垂直な状態で保持する第１の保持機構と、基板を第１の軸に垂直な状態で保持する第２の保持機構と、第１および第２の保持機構を第１の軸の方向に重なるように支持する支持部材と、支持部材を第１および第２の保持機構とともに第１の軸と略垂直な第２の軸の周りで一体的に回転させる回転装置とを備えるものである。
【０００９】
この反転装置においては、第１および第２の保持機構の少なくとも一方により基板が第１の軸に垂直な状態で保持される。その状態で、回転装置により第１および第２の保持機構が第１の軸と略垂直な第２の軸の周りで一体的に回転される。それにより、第１の保持機構または第２の保持機構により保持された基板が反転される。
【００１０】
２つの搬送保持部を用いてこの反転装置に対する基板の搬出入を行う場合、２つの搬送保持部の一方により第１および第２の保持機構の一方から反転後の基板を搬出し、２つの搬送保持部の他方により第１および第２の保持機構の他方に反転前の基板を搬入することができる。この場合、第１および第２の保持機構は第１の軸の方向に重なるように支持されている。そのため、２つの搬送保持部を第１の軸と平行な方向に重なるように配置することにより、２つの搬送保持部を第１の軸と平行な方向にほとんど移動させることなく第１および第２の保持機構への基板の搬出入が可能となる。それにより、反転装置に対する基板の搬出入を迅速に行うことが可能となる。
【００１１】
また、２つの搬送保持部を第１の軸と平行な方向に重なるように配置することにより、２つの搬送保持部により２枚の基板を第１および第２の保持機構に同時に搬入することが可能になるとともに、２つの搬送保持部により２枚の基板を第１および第２の保持機構から同時に搬出することが可能となる。それにより、反転装置に対する基板の搬出入を迅速に行うことが可能になるとともに、複数の基板を効率よく反転させることが可能になる。
【００１２】
（２）第１および第２の保持機構は、第１の軸に垂直な一面および他面を有する共通の反転保持部材を含み、第１の保持機構は、共通の反転保持部材の一面に設けられ、基板の外周部を支持する複数の第１の支持部と、共通の反転保持部材の一面に対向するように設けられた第１の反転保持部材と、共通の反転保持部材に対向する第１の反転保持部材の面に設けられ、基板の外周部を支持する複数の第２の支持部と、第１の反転保持部材と共通の反転保持部材とが第１の軸の方向において互いに離間した状態と第１の反転保持部材と共通の反転保持部材とが互いに近接した状態とに選択的に移行するように第１の反転保持部材および共通の反転保持部材の少なくとも一方を移動させる第１の駆動機構とを含み、第２の保持機構は、共通の反転保持部材の他面に設けられ、基板の外周部を支持する複数の第３の支持部と、共通の反転保持部材の一面に対向するように設けられた第２の反転保持部材と、共通の反転保持部材に対向する第２の反転保持部材の面に設けられ、基板の外周部を支持する複数の第４の支持部と、第２の反転保持部材と共通の反転保持部材とが第１の軸の方向において互いに離間した状態と第２の反転保持部材と共通の反転保持部材とが互いに近接した状態とに選択的に移行するように第２の反転保持部材および共通の反転保持部材の少なくとも一方を移動させる第２の駆動機構とを含んでもよい。
【００１３】
この場合、第１の反転保持部材と共通の反転保持部材とが互いに離間した状態で、共通の反転保持部材の一面に設けられた複数の第１の支持部と、共通の反転保持部材に対向する第１の反転保持部材の面に設けられた複数の第２の支持部との間に基板が搬入される。その状態で、第１の反転保持部材および共通の反転保持部材が互いに近接するように、第１の駆動機構により第１の反転保持部材および共通の反転保持部材の少なくとも一方が移動される。それにより、複数の第１および第２の支持部により基板の外周部が保持される。
【００１４】
この状態で、回転装置により第１の反転保持部材、第２の反転保持部材および共通の反転保持部材が第２の軸の周りで一体的に回転される。それにより、第１の反転保持部材および共通の反転保持部材により保持された基板が反転される。
【００１５】
また、第２の反転保持部材と共通の反転保持部材とが互いに離間した状態で、共通の反転保持部材の他面に設けられた複数の第３の支持部と、共通の反転保持部材に対向する第２の反転保持部材の面に設けられた複数の第４の支持部との間に基板が搬入される。その状態で、第２の反転保持部材および共通の反転保持部材が互いに近づくように第２の反転保持部材および共通の反転保持部材の少なくとも一方が第２の駆動機構により移動される。それにより、複数の第３および第４の支持部により基板の外周部が保持される。
【００１６】
この状態で、回転装置により第１の反転保持部材、第２の反転保持部材および共通の反転保持部材が第２の軸の周りで一体的に回転される。それにより、第２の反転保持部材および共通の反転保持部材により保持された基板が反転される。
【００１７】
（３）第１および第２の保持機構は、搬送手段の第１および第２の搬送保持部により搬入される基板をそれぞれ保持し、第１の保持機構による基板の保持位置と第２の保持機構による基板の保持位置との間の距離が搬送手段の第１の搬送保持部による基板の保持位置と第２の搬送保持部による基板の保持位置との間の距離にほぼ等しくてもよい。
【００１８】
この場合、搬送手段の第１および第２の搬送保持部を第１の軸と平行な方向にほとんど移動させることなく、第１および第２の搬送保持部の一方により第１および第２の保持機構の一方から反転後の基板を搬出し、第１および第２の搬送保持部の他方により第１および第２の保持機構の他方に反転前の基板を搬入することができる。それにより、反転装置に対する基板の搬出入をより迅速に行うことが可能となる。
【００１９】
また、第１および第２の搬送保持部により２枚の基板を第１および第２の保持機構に同時に搬入することが可能になるとともに、第１および第２の搬送保持部により２枚の基板を第１および第２の保持機構から同時に搬出することが可能となる。それにより、反転装置に対する基板の搬出入を迅速に行うことが可能になるとともに、複数の基板を効率よく反転させることができる。
【００２０】
（４）共通の反転保持部材、第１の反転保持部材および第２の反転保持部材は、搬送手段の第１および第２の搬送保持部が第１の軸の方向に通過可能な切欠き領域を有してもよい。
【００２１】
この場合、第１の軸と平行な方向における複数の第１、第２、第３および第４の支持部の長さが短くても、搬送手段の第１および第２の搬送保持部が共通の反転保持部材、第１の反転保持部材および第２の反転保持部材の切欠き領域を通って移動することができる。それにより、第１および第２の搬送保持部が共通の反転保持部材、第１の反転保持部材および第２の反転保持部材に接触することなく複数の第１、第２、第３および第４の支持部のうちのいずれかに基板を載置することができる。
【００２２】
また、第１および第２の搬送保持部が共通の反転保持部材、第１の反転保持部材および第２の反転保持部材に接触することなく複数の第１、第２、第３および第４の支持部のうちのいずれかから基板を受け取ることができる。
【００２３】
それにより、第１の軸と平行な方向における第１、第２、第３および第４の支持部の長さを短くすることができ、反転装置の小型化が可能となる。
【００２４】
（５）第２の発明に係る基板処理装置は、表面および裏面を有する基板に処理を行う基板処理装置であって、基板の表面と裏面とを反転させる反転装置と、第１および第２の搬送保持部を有し、反転装置に対して基板を搬入および搬出する搬送手段とを備え、反転装置は、基板を第１の軸に垂直な状態で保持する第１の保持機構と、基板を第１の軸に垂直な状態で保持する第２の保持機構と、第１および第２の保持機構を第１の軸の方向に重なるように支持する支持部材と、支持部材を第１および第２の保持機構とともに第１の軸と略垂直な第２の軸の周りで一体的に回転させる回転装置とを備えるものである。
【００２５】
この基板処置装置においては、搬送手段の第１および第２の搬送保持部により反転装置に対する基板の搬出入が行われる。反転装置においては、搬入された基板が第１または第２の保持機構により第１の軸に垂直な状態で保持される。その状態で、回転装置により第１および第２の保持機構が第１の軸と略垂直な第２の軸の周りで一体的に回転される。それにより、第１または第２の保持機構により保持された基板が反転される。
【００２６】
この場合、第１および第２の搬送保持部の一方により第１および第２の保持機構の一方から反転後の基板を搬出し、第１および第２の搬送保持部の他方により第１および第２の保持機構の他方に反転後の基板を搬入することができる。また、第１および第２の保持機構は第１の軸の方向に重なるように支持されている。そのため、第１および第２の搬送保持部を第１の軸と平行な方向に重なるように配置することにより、第１および第２の搬送保持部を第１の軸と平行な方向にほとんど移動させることなく第１および第２の保持機構への基板の搬出入が可能となる。それにより、反転装置に対する基板の搬出入を迅速に行うことが可能となる。したがって、基板処理装置におけるスループットを向上させることができる。
【００２７】
また、第１および第２の搬送保持部を第１の軸と平行な方向に重なるように配置することにより、第１および第２の搬送保持部により２枚の基板を第１および第２の保持機構に同時に搬入することが可能になるとともに、第１および第２の搬送保持部により２枚の基板を第１および第２の保持機構から同時に搬出することが可能となる。
【００２８】
それにより、反転装置に対する基板の搬出入を迅速に行うことができるとともに、複数の基板を効率よく反転させることができる。その結果、基板処理装置におけるスループットを向上させることができる。
【００２９】
（６）第１の保持機構による基板の保持位置と第２の保持機構による基板の保持位置との間の距離が搬送手段の第１の搬送保持部による基板の保持位置と第２の搬送保持部による基板の保持位置との間の距離にほぼ等しくてもよい。
【００３０】
この場合、搬送手段の第１および第２の搬送保持部を第１の軸と平行な方向に移動させることなく、第１および第２の搬送保持部の一方により第１および第２の保持機構の一方から反転後の基板を搬出するとともに第１および第２の搬送保持部の他方により第１および第２の保持機構の他方に反転後の基板を搬入することができる。それにより、反転装置に対する基板の搬出入を迅速に行うことが可能となる。
【００３１】
また、第１および第２の搬送保持部により２枚の基板を第１および第２の保持機構に同時に搬入することが可能になるとともに、第１および第２の搬送保持部により２枚の基板を第１および第２の保持機構から同時に搬出することが可能となる。それにより、反転装置に対する基板の搬出入を迅速に行うことが可能になるとともに、複数の基板を効率よく反転させることができる。
【００３２】
（７）第１および第２の保持機構は、第１の軸に垂直な一面および他面を有する共通の反転保持部材を含み、第１の保持機構は、共通の反転保持部材の一面に設けられ、基板の外周部を支持する複数の第１の支持部と、共通の反転保持部材の一面に対向するように設けられた第１の反転保持部材と、共通の反転保持部材に対向する第１の反転保持部材の面に設けられ、基板の外周部を支持する複数の第２の支持部と、第１の反転保持部材と共通の反転保持部材とが第１の軸の方向において互いに離間した状態と第１の反転保持部材と共通の反転保持部材とが互いに近接した状態とに選択的に移行するように第１の反転保持部材および共通の反転保持部材の少なくとも一方を移動させる第１の駆動機構とを含み、第２の保持機構は、共通の反転保持部材の他面に設けられ、基板の外周部を支持する複数の第３の支持部と、共通の反転保持部材の一面に対向するように設けられた第２の反転保持部材と、共通の反転保持部材に対向する第２の反転保持部材の面に設けられ、基板の外周部を支持する複数の第４の支持部と、第２の反転保持部材と共通の反転保持部材とが第１の軸の方向において互いに離間した状態と第２の反転保持部材と共通の反転保持部材とが互いに近接した状態とに選択的に移行するように第２の反転保持部材および共通の反転保持部材の少なくとも一方を移動させる第２の駆動機構とを含んでもよい。
【００３３】
この場合、第１の反転保持部材と共通の反転保持部材とが互いに離間した状態で、共通の反転保持部材の一面に設けられた複数の第１の支持部と、共通の反転保持部材に対向する第１の反転保持部材の面に設けられた複数の第２の支持部との間に基板が搬入される。その状態で、第１の反転保持部材および共通の反転保持部材が互いに近接するように、第１の駆動機構により第１の反転保持部材および共通の反転保持部材の少なくとも一方が移動される。それにより、複数の第１および第２の支持部により基板の外周部が保持される。
【００３４】
この状態で、回転装置により第１の反転保持部材、第２の反転保持部材および共通の反転保持部材が第２の軸の周りで一体的に回転される。それにより、第１の反転保持部材および共通の反転保持部材により保持された基板が反転される。
【００３５】
また、第２の反転保持部材と共通の反転保持部材とが互いに離間した状態で、共通の反転保持部材の他面に設けられた複数の第３の支持部と、共通の反転保持部材に対向する第２の反転保持部材の面に設けられた複数の第４の支持部との間に基板が搬入される。その状態で、第２の反転保持部材および共通の反転保持部材が互いに近づくように第２の反転保持部材および共通の反転保持部材の少なくとも一方が第２の駆動機構により移動される。それにより、複数の第３および第４の支持部により基板の外周部が保持される。
【００３６】
この状態で、回転装置により第１の反転保持部材、第２の反転保持部材および共通の反転保持部材が第２の軸の周りで一体的に回転される。それにより、第２の反転保持部材および共通の反転保持部材により保持された基板が反転される。
【００３７】
（８）共通の反転保持部材、第１の反転保持部材および第２の反転保持部材は、搬送手段の第１および第２の搬送保持部が第１の軸の方向に通過可能な切欠き領域を有してもよい。
【００３８】
この場合、第１の軸と平行な方向における複数の第１、第２、第３および第４の支持部の長さが短くても、搬送手段の第１および第２の搬送保持部が共通の反転保持部材、第１の反転保持部材および第２の反転保持部材の切欠き領域を通って移動することができる。それにより、第１および第２の搬送保持部が共通の反転保持部材、第１の反転保持部材および第２の反転保持部材に接触することなく複数の第１、第２、第３および第４の支持部のいずれかに基板を載置することができる。
【００３９】
また、第１および第２の搬送保持部が共通の反転保持部材、第１の反転保持部材および第２の反転保持部材に接触することなく複数の第１、第２、第３および第４の支持部のいずれかから基板を受け取ることができる。
【００４０】
それにより、第１の軸と平行な方向における第１、第２、第３および第４の支持部の長さを短くすることができ、反転装置の小型化が可能となる。
【００４１】
（９）搬送手段は、第１および第２の搬送保持部を進退させる進退機構を含み、第１および第２の搬送保持部の各々は、進退方向に延びる複数の保持部分を有し、共通の反転保持部材、第１の反転保持部材および第２の反転保持部材の切欠き領域は、第１および第２の搬送保持部の複数の保持部分が通過可能な複数の切欠き部を含んでもよい。
【００４２】
この場合、第１および第２の搬送保持部は、進退機構により進退されることにより反転装置の第１および第２の保持機構に進入または第１および第２の保持機構から退出する。その際には、進退方向に延びる複数の保持部分が切欠き領域の複数の切欠き部を通るように第１および第２の搬送保持部が進退することができる。
【００４３】
（１０）複数の第１の支持部の先端と複数の第４の支持部の先端との間の距離および複数の第２の支持部の先端と複数の第３の支持部の先端との間の距離が搬送手段の第１の搬送保持部による基板の保持位置と第２の搬送保持部による基板の保持位置との間の距離にほぼ等しく設定されてもよい。
【００４４】
この場合、搬送手段の第１および第２の搬送保持部を第１の軸と平行な方向に移動させることなく、第１および第２の搬送保持部の一方により複数の第１および第４の支持部の一方から基板を受け取るとともに第１および第２の搬送保持部の他方により複数の第１および第４の支持部の他方に反転後の基板を載置することができる。
【００４５】
また、搬送手段の第１および第２の搬送保持部を第１の軸と平行な方向に移動させることなく、第１および第２の搬送保持部の一方により複数の第２および第３の支持部の一方から基板を受け取るとともに第１および第２の搬送保持部の他方により複数の第２および第の支持部の他方に反転後の基板を載置することができる。
【００４６】
さらに、第１および第２の搬送保持部により２枚の基板を複数の第１および第４の支持部に同時に載置することが可能になるとともに、第１および第２の搬送保持部により２枚の基板を複数の第１および第４の支持部から同時に受け取ることが可能となる。また、第１および第２の搬送保持部により２枚の基板を複数の第２および第３の支持部に同時に載置することが可能になるとともに、第１および第２の搬送保持部により２枚の基板を複数の第２および第３の支持部から同時に受け取ることが可能となる。
【００４７】
（１１）共通の反転保持部材は支持部材に固定され、第１の駆動機構は、第１の反転保持部材と共通の反転保持部材とが互いに離間した状態と第１の反転保持部材と共通の反転保持部材とが互いに近接した状態とに選択的に移行するように第１の反転保持部材を共通の反転保持部材に相対的に移動させ、第２の駆動機構は、第２の反転保持部材と共通の反転保持部材とが互いに離間した状態と第２の反転保持部材と共通の反転保持部材とが互いに近接した状態とに選択的に移行するように第２の反転保持部材を共通の反転保持部材に相対的に移動させてもよい。
【００４８】
この場合、第１の駆動機構によって第１の反転保持部材が共通の反転保持部材に近づくように移動されることにより、基板が複数の第１および第２の支持部により保持される。また、第２の駆動機構によって第２の反転保持部材が共通の反転保持部材に近づくように移動されることにより、基板が複数の第３および第４の支持部により保持される。それにより、簡単な構成で基板を反転させることができる。
【００４９】
（１２）共通の反転保持部材は、第１の反転保持部材に対向するように設けられた第３の反転保持部材と、第２の反転保持部材に対向するように設けられた第４の反転保持部材とを含み、複数の第１の支持部は、第１の反転保持部材に対向する第３の反転保持部材の面に設けられ、複数の第３の支持部は、第２の反転保持部材に対向する第４の反転保持部材の面に設けられ、第１の駆動機構は、第１の反転保持部材と第３の反転保持部材とが互いに離間した状態と第１の反転保持部材と第３の反転保持部材とが互いに近接した状態とに選択的に移行するように第１の反転保持部材および第３の反転保持部材の少なくとも一方を移動させ、第２の駆動機構は、第２の反転保持部材と第４の反転保持部材とが互いに離間した状態と第２の反転保持部材と第４の反転保持部材とが互いに近接した状態とに選択的に移行するように第２の反転保持部材および第４の反転保持部材の少なくとも一方を移動させてもよい。
【００５０】
この場合、第１の駆動機構によって第１および第３の反転保持部材が互いに近づくように移動されることにより、基板が複数の第１および第２の支持部により保持される。また、第２の駆動機構によって第２の第４の反転保持部材が互いに近づくように移動されることにより、基板が複数の第３および第４の支持部により保持される。
【００５１】
それにより、第１の保持機構による基板の保持位置と第２の保持機構による基板の保持位置との間隔を任意に調整することが可能となる。
【００５２】
（１３）基板の裏面を洗浄する第１の洗浄処理部をさらに備え、搬送手段は、反転装置と第１の洗浄処理部との間で基板を搬送してもよい。
【００５３】
この場合、反転装置により裏面が上方に向くように反転された基板が、搬送手段により第１の洗浄処理部に搬送される。第１の洗浄処理部においては、上方に向けられた基板の裏面が洗浄される。第１の洗浄処理部による洗浄後の基板は搬送手段により反転装置に搬送され、表面が上方を向くように反転装置により再度反転される。
【００５４】
（１４）基板の表面を洗浄する第２の洗浄処理部とをさらに備え、搬送手段は、反転装置、第１の洗浄処理部および第２の洗浄処理部の間で基板を搬送してもよい。
【００５５】
この場合、表面が上方に向けられた基板が搬送手段により第２の洗浄処理部に搬送される。第２の洗浄処理部においては、上方に向けられた基板の表面が洗浄される。
【発明の効果】
【００５６】
本発明によれば、反転装置に対する基板の搬出入を迅速に行うことが可能となる。したがって、基板処理装置におけるスループットを向上させることができる。
【発明を実施するための最良の形態】
【００５７】
以下、本発明の一実施の形態に係る反転装置およびそれを備えた基板処理装置について図面を参照しつつ説明する。
【００５８】
以下の説明において、基板とは、半導体ウェハ、液晶表示装置用ガラス基板、ＰＤＰ（プラズマディスプレイパネル）用ガラス基板、フォトマスク用ガラス基板、光ディスク用基板等をいう。
【００５９】
また、以下の説明では、回路パターン等の各種パターンが形成される基板の面を表面と称し、その反対側の面を裏面と称する。また、下方に向けられた基板の面を下面と称し、上方に向けられた基板の面を上面と称する。
【００６０】
（１）第１の実施の形態
以下、第１の実施の形態に係る基板処理装置について図面を参照しながら説明する。
【００６１】
（１−１）  基板処理装置の構成
図１（ａ）は本発明の第１の実施の形態に係る基板処理装置の平面図であり、図１（ｂ）は図１（ａ）の基板処理装置を矢印Ｘの方向から見た模式的側面図である。また、図２は、図１（ａ）のＡ−Ａ線断面を模式的に示す図である。
【００６２】
図１（ａ）に示すように、基板処理装置１００は、インデクサブロック１０および処理ブロック１１を有する。インデクサブロック１０および処理ブロック１１は、互いに並列に設けられている。
【００６３】
インデクサブロック１０には、複数のキャリア載置台４０、インデクサロボットＩＲおよび制御部４が設けられている。各キャリア載置台４０上には、複数枚の基板Ｗを多段に収納するキャリアＣが載置される。インデクサロボットＩＲは、矢印Ｕ（図１（ａ））の方向に移動可能で鉛直軸の周りで回転可能かつ上下方向に昇降可能に構成されている。インデクサロボットＩＲには、基板Ｗを受け渡すためのハンドＩＲＨ１，ＩＲＨ２が上下に設けられている。ハンドＩＲＨ１，ＩＲＨ２は、基板Ｗの下面の周縁部および外周端部を保持する。制御部４は、ＣＰＵ（中央演算処理装置）を含むコンピュータ等からなり、基板処理装置１００内の各部を制御する。
【００６４】
図１（ｂ）に示すように、処理ブロック１１には、複数の表面洗浄ユニットＳＳ（本例では４つ）、複数の裏面洗浄ユニットＳＳＲ（本例では４つ）およびメインロボットＭＲが設けられている。複数の表面洗浄ユニットＳＳは処理ブロック１１の一方の側面側に上下に積層配置されており、複数の裏面洗浄ユニットＳＳＲは処理ブロック１１の他方の側面側に上下に積層配置されている。メインロボットＭＲは、複数の表面洗浄ユニットＳＳと複数の裏面洗浄ユニットＳＳＲとの間に設けられている。メインロボットＭＲは、鉛直軸の周りで回転可能でかつ上下方向に昇降可能に構成されている。また、メインロボットＭＲには、基板Ｗを受け渡すためのハンドＭＲＨ１，ＭＲＨ２が上下に設けられている。ハンドＭＲＨ１，ＭＲＨ２は基板Ｗの下面の周縁部および外周端部を保持する。メインロボットＭＲの詳細については後述する。
【００６５】
図２に示すように、インデクサブロック１０と処理ブロック１１との間には、基板Ｗを反転させるための反転ユニットＲＴ１，ＲＴ２およびインデクサロボットＩＲとメインロボットＭＲとの間で基板の受け渡しを行うための基板載置部ＰＡＳＳ１，ＰＡＳＳ２が上下に設けられている。反転ユニットＲＴ１は基板載置部ＰＡＳＳ１，ＰＡＳＳ２の上方に設けられており、反転ユニットＲＴ２は基板載置部ＰＡＳＳ１，ＰＡＳＳ２の下方に設けられている。反転ユニットＲＴ１，ＲＴ２の詳細については後述する。
【００６６】
上側の基板載置部ＰＡＳＳ１は、基板Ｗを処理ブロック１１からインデクサブロック１０へ搬送する際に用いられ、下側の基板載置部ＰＡＳＳ２は、基板Ｗをインデクサブロック１０から処理ブロック１１へ搬送する際に用いられる。
【００６７】
基板載置部ＰＡＳＳ１，ＰＡＳＳ２には、基板Ｗの有無を検出する光学式のセンサ（図示せず）が設けられている。それにより、基板載置部ＰＡＳＳ１，ＰＡＳＳ２において基板Ｗが載置されているか否かの判定を行うことが可能となる。また、基板載置部ＰＡＳＳ１，ＰＡＳＳ２には、基板Ｗの下面を支持する複数本の支持ピン５１が設けられている。インデクサロボットＩＲとメインロボットＭＲとの間で基板Ｗの受け渡しが行われる際には、基板Ｗが一時的に基板載置部ＰＡＳＳ１，ＰＡＳＳ２の支持ピン５１上に載置される。
【００６８】
（１−２）基板処理装置の動作の概要
次に、図１および図２を参照して基板処理装置１００の動作の概要について説明する。なお、以下に説明する基板処理装置１００の各構成要素の動作は、図１の制御部４により制御される。
【００６９】
まず、インデクサロボットＩＲは、キャリア載置台４０上に載置されたキャリアＣの１つから下側のハンドＩＲＨ２を用いて未処理の基板Ｗを取り出す。この時点では、基板Ｗの表面が上方に向けられている。インデクサロボットＩＲのハンドＩＲＨ２は、基板Ｗの裏面の周縁部および外周端部を保持する。インデクサロボットＩＲは、矢印Ｕの方向に移動しつつ鉛直軸の周りで回動し、未処理の基板Ｗを基板載置部ＰＡＳＳ２に載置する。
【００７０】
基板載置部ＰＡＳＳ２に載置された基板Ｗは、メインロボットＭＲにより受け取られ、続いて表面洗浄ユニットＳＳに搬入される。表面洗浄ユニットＳＳにおいては、基板Ｗの表面に洗浄処理が行われる。以下、基板Ｗの表面の洗浄処理を表面洗浄処理と呼ぶ。なお、表面洗浄ユニットＳＳによる表面洗浄処理の詳細については後述する。
【００７１】
表面洗浄処理後の基板Ｗは、メインロボットＭＲにより表面洗浄ユニットＳＳから搬出され、続いて反転ユニットＲＴ１に搬入される。反転ユニットＲＴ１においては、表面が上方に向けられた基板Ｗが、裏面が上方を向くように反転される。反転ユニットＲＴ１，ＲＴ２の動作の詳細は後述する。反転後の基板Ｗは、メインロボットＭＲにより反転ユニットＲＴ１から搬出され、続いて裏面洗浄ユニットＳＳＲに搬入される。裏面洗浄ユニットＳＳＲにおいては、基板Ｗの裏面に洗浄処理が行われる。以下、基板Ｗの裏面の洗浄処理を裏面洗浄処理と呼ぶ。なお、裏面洗浄ユニットＳＳＲによる裏面洗浄処理の詳細については後述する。
【００７２】
裏面洗浄処理後の基板Ｗは、メインロボットＭＲにより裏面洗浄ユニットＳＳＲから搬出され、続いて反転ユニットＲＴ２に搬入される。反転ユニットＲＴ２においては、裏面が上方に向けられた基板Ｗが、表面が上方を向くように反転される。反転後の基板Ｗは、メインロボットＭＲにより反転ユニットＲＴ２から搬出され、基板載置部ＰＡＳＳ１に載置される。基板載置部ＰＡＳＳ１に載置された基板Ｗは、インデクサロボットＩＲにより受け取られ、キャリアＣ内に収納される。
【００７３】
（１−３）メインロボットの詳細
ここで、メインロボットＭＲの詳細な構成について説明する。図３（ａ）は、メインロボットＭＲの側面図であり、図３（ｂ）はメインロボットＭＲの平面図である。
【００７４】
図３（ａ）および図３（ｂ）に示すように、メインロボットＭＲはベース部２１を備え、ベース部２１に対して昇降可能かつ回動可能に昇降回動部２２が設けられている。昇降回動部２２には、多関節型アームＡＭ１を介してハンドＭＲＨ１が接続され、多関節型アームＡＭ２を介してハンドＭＲＨ２が接続されている。
【００７５】
昇降回動部２２は、ベース部２１内に設けられた昇降駆動機構２５により上下方向に昇降されるとともに、ベース部２１内に設けられた回動駆動機構２６により鉛直軸の周りで回動される。多関節型アームＡＭ１，ＡＭ２は、それぞれ図示しない駆動機構により独立に駆動され、ハンドＭＲＨ１，ＭＲＨ２をそれぞれ一定姿勢に維持しつつ水平方向に進退させる。ハンドＭＲＨ１，ＭＲＨ２は、それぞれ昇降回動部２２に対して一定の高さに設けられており、ハンドＭＲＨ１はＭＲＨ２よりも上方に位置している。ハンドＭＲＨ１とハンドＭＲＨ２との高さの差Ｍ１（図３（ａ））は一定に維持される。
【００７６】
ハンドＭＲＨ１，ＭＲＨ２は互いに同じ形状を有し、それぞれ略Ｕ字状に形成されている。ハンドＭＲＨ１はその進退方向に延びる２本の爪部Ｈ１１を有し、ハンドＭＲＨ２はその進退方向に延びる２本の爪部Ｈ１２を有する。また、ハンドＭＲＨ１，ＭＲＨ２上には、それぞれ複数の支持ピン２３が取り付けられている。本実施の形態では、ハンドＭＲＨ１，ＭＲＨ２の上面に載置される基板Ｗの外周に沿ってほぼ均等にそれぞれ４個の支持ピン２３が取り付けられている。この４個の支持ピン２３により基板Ｗの下面の周縁部および外周端部が保持される。
【００７７】
ここで、図１および図２を参照しながら本実施の形態におけるメインロボットＭＲの動作順序について説明する。
【００７８】
まず、メインロボットＭＲはハンドＭＲＨ２により基板載置部ＰＡＳＳ２から未処理の基板Ｗを受け取る。次に、メインロボットＭＲはハンドＭＲＨ１により表面洗浄ユニットＳＳのいずれかから表面洗浄処理後の基板Ｗを搬出し、その表面洗浄ユニットＳＳにハンドＭＲＨ２に保持する基板Ｗを搬入する。次に、メインロボットＭＲはハンドＭＲＨ２により反転ユニットＲＴ１から裏面が上方に向けられた基板Ｗを搬出し、ハンドＭＲＨ１に保持する表面が上方に向けられた基板Ｗを反転ユニットＲＴ１に搬入する。
【００７９】
次に、メインロボットＭＲはハンドＭＲＨ１により裏面洗浄ユニットＳＳＲのいずれかから裏面洗浄処理後の基板Ｗを搬出し、その裏面洗浄ユニットＳＳＲにハンドＭＲＨ２に保持する基板Ｗを搬入する。次に、メインロボットＭＲはハンドＭＲＨ２により反転ユニットＲＴ２から表面が上方に向けられた基板Ｗを搬出し、ハンドＭＲＨ１に保持する裏面が上方に向けられた基板Ｗを反転ユニットＲＴ２に搬入する。次に、メインロボットＭＲはハンドＭＲＨ２に保持する基板Ｗを基板載置部ＰＡＳＳ１に載置し、続いてハンドＭＲＨ２により基板載置部ＰＡＳＳ２から未処理の基板Ｗを受け取る。メインロボットＭＲは、このような一連の動作を連続的に行う。
【００８０】
（１−４）反転ユニットの詳細
次に、反転ユニットＲＴ１，ＲＴ２の詳細について説明する。反転ユニットＲＴ１，ＲＴ２は互いに同じ構成を有する。図４（ａ）は反転ユニットＲＴ１，ＲＴ２の側面図であり、図４（ｂ）は反転ユニットＲＴ１，ＲＴ２の斜視図である。
【００８１】
図４（ａ）に示すように、反転ユニットＲＴ１，ＲＴ２は、支持板３１、固定板３２、１対のリニアガイド３３ａ，３３ｂ、１対の支持部材３５ａ，３５ｂ、１対のシリンダ３７ａ，３７ｂ、第１可動板３６ａ、第２可動板３６ｂおよびロータリアクチュエータ３８を含む。
【００８２】
支持板３１は上下方向に延びるように設けられており、支持板３１の一面の中央部から水平方向に延びるように固定板３２が取り付けられている。固定板３２の一面側における支持板３１の領域には、固定板３２に垂直な方向に延びるリニアガイド３３ａが設けられている。また、固定板３２の他面側における支持板３１の領域には、固定板３２に垂直な方向に延びるリニアガイド３３ｂが設けられている。リニアガイド３３ａ，３３ｂは、固定板３２に関して互いに対称に設けられている。
【００８３】
固定板３２の一面側において、固定板３２に平行な方向に延びるように支持部材３５ａが設けられている。支持部材３５ａは連結部材３４ａを介してリニアガイド３３ａに摺動可能に取り付けられている。支持部材３５ａにはシリンダ３７ａが接続されており、このシリンダ３７ａにより支持部材３５ａがリニアガイド３３ａに沿って昇降される。この場合、支持部材３５ａは一定姿勢を維持しつつ固定板３２に垂直な方向に移動する。また、支持部材３５ａには、固定板３２の一面に対向するように第１可動板３６ａが取り付けられている。
【００８４】
固定板３２の他面側において、固定板３２に平行な方向に延びるように支持部材３５ｂが設けられている。支持部材３５ｂは連結部材３４ｂを介してリニアガイド３３ｂに摺動可能に取り付けられている。支持部材３５ｂにはシリンダ３７ｂが接続されており、このシリンダ３７ｂにより支持部材３５ｂがリニアガイド３３ｂに沿って昇降される。この場合、支持部材３５ｂは一定姿勢を維持しつつ固定板３２に垂直な方向に移動する。また、支持部材３５ｂには、固定板３２の他面に対向するように第２可動板３６ｂが取り付けられている。
【００８５】
本実施の形態では、第１可動板３６ａおよび第２可動板３６ｂが固定板３２から最も離れた状態で、第１可動板３６ａと固定板３２との間の距離Ｍ２および第２可動板３６ｂと固定板３２との間の距離Ｍ３は、図３に示したメインロボットＭＲのハンドＭＲＨ１とハンドＭＲＨ２との高さの差Ｍ１とほぼ等しく設定されている。
【００８６】
ロータリアクチュエータ３８は、支持板３１を水平軸ＨＡの周りで回転させる。それにより、支持板３１に連結されている第１可動板３６ａ、第２可動板３６ｂおよび固定板３２が水平軸ＨＡの周りで回転する。
【００８７】
図４（ｂ）に示すように、第１可動板３６ａ、固定板３２および第２可動板３６ｂは互いにほぼ同じ形状を有する。
【００８８】
第１可動板３６ａは、支持部材３５ａに沿って延びる中央支持部３６１ａ、および中央支持部３６１ａの両側方で中央支持部３６１ａに平行に延びる側辺部３６２ａ，３６３ａを有する。側辺部３６２ａ，３６３ａは、中央支持部３６１ａに関して互いに対称に設けられている。中央支持部３６１ａおよび側辺部３６２ａ，３６３ａは、支持板３１（図４（ａ））側の一端部において互いに連結されている。それにより、第１可動板３６ａは略Ｅ字状に形成されており、中央支持部３６１ａと側辺部３６２ａ，３６３ａとの間にストライプ状の切欠き領域が形成されている。
【００８９】
固定板３２は、第１可動板３６ａの中央支持部３６１ａおよび側辺部３６２ａ，３６３ａに相当する中央支持部３２１および側辺部３２２，３２３を有し、これらは支持板３１側の一端部において互いに連結されている。それにより、固定板３２は略Ｅ字状に形成されており、中央支持部３２１と側辺部３２２，３２３との間にストライプ状の切欠き領域が形成されている。
【００９０】
第２可動板３６ｂは、第１可動板３６ａの中央支持部３６１ａおよび側辺部３６２ａ，３６３ａに相当する中央支持部３６１ｂおよび側辺部３６２ｂ，３６３ｂを有し、これらは支持板３１側の一端部において互いに連結されている。それにより、第２可動板３６ｂは略Ｅ字状に形成されており、中央支持部３６１ａと側辺部３６２ｂ，３６３ｂとの間にストライプ状の切欠き領域が形成されている。
【００９１】
また、図４（ａ）に示すように、第１可動板３６ａと対向する固定板３２の一面には複数の支持ピン３９ａが設けられ、その他面には複数の支持ピン３９ｂが設けられている。また、固定板３２と対向する第１可動板３６ａの一面には複数の支持ピン３９ｃが設けられ、固定板３２と対向する第２可動板３６ｂの一面には複数の支持ピン３９ｄが設けられている。
【００９２】
本実施の形態においては、支持ピン３９ａ，３９ｂ，３９ｃ，３９ｄがそれぞれ６本設けられている。これらの支持ピン３９ａ，３９ｂ，３９ｃ，３９ｄは、反転ユニットＲＴ１，ＲＴ２に搬入される基板Ｗの外周に沿うように配置されている。また、支持ピン３９ａ，３９ｂ，３９ｃ，３９ｄは互いに同じ長さを有する。そのため、第１可動板３６ａおよび第２可動板３６ｂが固定板３２から最も離れた状態での支持ピン３９ａの先端と支持ピン３９ｄの先端との間の距離および支持ピン３９ｂの先端と支持ピン３９ｃの先端との間の距離は、図３に示したメインロボットＭＲのハンドＭＲＨ１とハンドＭＲＨ２との高さの差Ｍ１とほぼ等しい。
【００９３】
なお、第１可動板３６ａと固定板３２との間の距離Ｍ２および第２可動板３６ｂと固定板３２との間の距離Ｍ３は適宜変更してもよい。ただし、第１可動板３６ａおよび第２可動板３６ｂが固定板３２から最も離れた状態での支持ピン３９ｃの先端と支持ピン３９ｄの先端との間の距離は、ハンドＭＲＨ１とハンドＭＲＨ２との高さの差Ｍ１よりも大きくなるように設定される。
【００９４】
（１−５）反転ユニットの動作
次に、反転ユニットＲＴ１，ＲＴ２の動作について説明する。図５〜図７は反転ユニットＲＴ１，ＲＴ２の動作について説明するための図である。なお、上記のように、反転ユニットＲＴ１，ＲＴ２への基板Ｗの搬入はメインロボットＭＲのハンドＭＲＨ１により行われ、反転ユニットＲＴ１，ＲＴ２からの基板Ｗの搬出はメインロボットＭＲのハンドＭＲＨ２により行われる。
【００９５】
図５（ａ）に示すように、第１可動板３６ａ、固定板３２および第２可動板３６ｂが水平姿勢に維持された状態で、基板Ｗを保持したメインロボットＭＲのハンドＭＲＨ１が第１可動板３６ａと固定板３２との間に前進する。続いて、図５（ｂ）に示すように、ハンドＭＲＨ１が下降する。この場合、図５（ｃ）に示すように、ハンドＭＲＨ１の爪部Ｈ１１は、固定板３２の中央支持部３２１と側辺部３２２，３２３との間の切欠き領域を通って下降する。それにより、ハンドＭＲＨ１に保持された基板Ｗが固定板３２の支持ピン３９ａ上に載置される。
【００９６】
なお、反転ユニットＲＴ１においては表面が上方に向けられた基板Ｗが支持ピン３９ａ上に載置され、反転ユニットＲＴ２においては裏面が上方に向けられた基板Ｗが支持ピン３９ａ上に載置される。
【００９７】
続いて、図６（ｄ）に示すように、支持部材３５ａがシリンダ３７ａ（図４（ａ））により下降される。それにより、第１可動板３６ａが下降し、第１可動板３６ａと固定板３２との離間距離が短くなる。第１可動板３６ａが所定の距離下降すると、基板Ｗの周縁部および外周端部が固定板３２の支持ピン３９ａと第１可動板３６ａの支持ピン３９ｃとにより保持される。その状態で、図６（ｅ）に示すように、第１可動板３６ａ、固定板３２および第２可動板３６ｂがロータリアクチュエータ３８により一体的に水平軸ＨＡの周りで１８０度回転される。それにより、支持ピン３９ａと支持ピン３９ｃとにより保持された基板Ｗが反転される。この場合、反転ユニットＲＴ１においては基板Ｗの裏面が上方に向けられ、反転ユニットＲＴ２においては基板Ｗの表面が上方に向けられる。
【００９８】
続いて、図６（ｆ）に示すように、支持部材３５ａがシリンダ３７ａにより下降される。それにより、第１可動板３６ａが下降し、第１可動板３６ａと固定板３２との離間距離が長くなる。そのため、基板Ｗは第１可動板３６ａの支持ピン３９ｃに支持された状態となる。
【００９９】
その状態で、図７（ｇ）に示すように、メインロボットＭＲのハンドＭＲＨ２が第１可動板３６ａの下方に前進する。続いて、図７（ｈ）に示すように、ハンドＭＲＨ２が上昇する。この場合、図７（ｉ）に示すように、ハンドＭＲＨ２の爪部Ｈ１２は、第１可動板３６ａの中央支持部３６１ａと側辺部３６２ａ，３６３ａとの間の切欠き領域を通って上昇する。それにより、基板ＷがハンドＭＲＨ２により受け取られる。その後、ハンドＭＲＨ２が反転ユニットＲＴ１，ＲＴ２から後退し、基板Ｗが反転ユニットＲＴ１，ＲＴ２から搬出される。
【０１００】
なお、図５〜図７においては、第１可動板３６ａが固定板３２の上方に位置する状態で基板Ｗが搬入され、第２可動板３６ｂが固定板３２の上方に位置する状態で基板Ｗが搬出される場合について示した。しかしながら、後述するように、第２可動板３６ｂが固定板３２の上方に位置する状態で基板Ｗが搬出された後には、第２可動板３６ｂが固定板３２の上方に位置する状態で基板Ｗが搬入され、第１可動板３６ａが固定板３２の上方に位置する状態で基板Ｗが搬出される。
【０１０１】
その場合には、シリンダ３７ｂにより第２支持部材３５ｂが下降されることにより、基板Ｗが第２可動板３６ｂの支持ピン３９ｄと固定板３２の支持ピン３９ｂとにより保持される。そして、その状態でロータリアクチュエータ３８により第１可動板３６ａ、固定板３２および第２可動板３６ｂが反転され、基板Ｗが反転される。その後、シリンダ３７ｂによって第２支持部材３５ｂが下降されることにより基板Ｗが支持ピン３９ｄに支持された状態となり、ハンドＭＲＨ２により基板Ｗが支持ピン３９ｄ上から搬出される。
【０１０２】
（１−６）メインロボットによる基板の搬出入
次に、反転ユニットＲＴ１，ＲＴ２から基板Ｗを搬出してから新たな基板Ｗを反転ユニットＲＴ１，ＲＴ２に搬入するまでの間のメインロボットＭＲの動作について説明する。
【０１０３】
図８は、メインロボットＭＲによる基板Ｗの搬出入動作について説明するための図である。上記のように、メインロボットＭＲは、ハンドＭＲＨ２により反転後の基板Ｗを反転ユニットＲＴ１，ＲＴ２から搬出し、ハンドＭＲＨ１により反転前の基板Ｗを反転ユニットＲＴ１，ＲＴ２に搬入する。したがって、反転ユニットＲＴ１，ＲＴ２に対する基板Ｗの搬出入を行う直前には、図８（ａ）に示すように、メインロボットＭＲのハンドＭＲＨ１が反転前の基板Ｗを保持した状態であり、ハンドＭＲＨ２が基板Ｗを保持していない状態である。
【０１０４】
図８（ｂ）に示すように、ハンドＭＲＨ２が前進するとともに上昇することにより、支持ピン３９ｃ上の基板ＷがハンドＭＲＨ２により受け取られる。このとき、ハンドＭＲＨ１とハンドＭＲＨ２との高さの差Ｍ１は一定に維持されるので、ハンドＭＲＨ２の上昇に伴いハンドＭＲＨ１も上昇する。
【０１０５】
次に、図８（ｃ）に示すように、ハンドＭＲＨ１，ＭＲＨ２の高さが維持された状態で、ハンドＭＲＨ２が後退するとともにハンドＭＲＨ１が前進する。ここで、本実施の形態では、第２可動板３６ｂと固定板３２との間の距離Ｍ２（図４）および第２可動板３６ｂと固定板３２の間の距離Ｍ３（図４）はハンドＭＲＨ１とハンドＭＲＨ２との高さの差Ｍ１とほぼ等しく設定されている。そのため、ハンドＭＲＨ２が第１可動板３６ａと固定板３２との間に位置するような高さにある場合には、ハンドＭＲＨ１は第２可動板３６ｂと固定板３２との間に位置するような高さにある。したがって、ハンドＭＲＨ１は前進することにより第２可動板３６ｂと固定板３２との間に移動する。
【０１０６】
次に、図８（ｄ）に示すように、ハンドＭＲＨ１が下降するとともに後退する。それにより、支持ピン３９ｂ上に基板Ｗが載置される。このとき、ハンドＭＲＨ１の下降に伴いハンドＭＲＨ２も下降する。
【０１０７】
このようにして、メインロボットＭＲによる反転ユニットＲＴ１，ＲＴ２への基板Ｗの搬出入が行われる。その後、反転ユニットＲＴ１，ＲＴ２は新たに搬入された基板Ｗを反転させる。すなわち、反転ユニットＲＴ１，ＲＴ２に対する基板Ｗの搬出入は、第１可動板３６ａが固定板３２の上方に位置する状態と第２可動板３６ｂが固定板３２の上方に位置する状態との間で交互に行われる。
【０１０８】
（１−７）表面洗浄ユニットおよび裏面洗浄ユニットの詳細
次に、図１に示した表面洗浄ユニットＳＳおよび裏面洗浄ユニットＳＳＲについて説明する。図９は表面洗浄ユニットＳＳの構成を説明するための図であり、図１０は裏面洗浄ユニットＳＳＲの構成を説明するための図である。図９に示す表面洗浄ユニットＳＳおよび図１０に示す裏面洗浄ユニットＳＳＲでは、ブラシを用いた基板Ｗの洗浄処理（以下、スクラブ洗浄処理と呼ぶ）が行われる。
【０１０９】
まず、図９を用いて表面洗浄ユニットＳＳの詳細について説明する。図９に示すように、表面洗浄ユニットＳＳは、基板Ｗを水平に保持するとともに基板Ｗの中心を通る鉛直軸の周りで基板Ｗを回転させるためのスピンチャック６１を備える。スピンチャック６１は、チャック回転駆動機構６２によって回転される回転軸６３の上端に固定されている。
【０１１０】
上記のように、表面洗浄ユニットＳＳには表面が上方に向けられた状態の基板Ｗが搬入される。スクラブ洗浄処理およびリンス処理を行う場合には、スピンチャック６１により基板Ｗの裏面が吸着保持される。
【０１１１】
スピンチャック６１の外方には、モータ６４が設けられている。モータ６４には、回動軸６５が接続されている。回動軸６５には、アーム６６が水平方向に延びるように連結され、アーム６６の先端に略円筒形状のブラシ洗浄具７０が設けられている。また、スピンチャック６１の上方には、スピンチャック６１により保持された基板Ｗの表面に向けて洗浄液またはリンス液（純水）を供給するための液吐出ノズル７１が設けられている。液吐出ノズル７１には供給管７２が接続されており、この供給管７２を通して液吐出ノズル７１に洗浄液およびリンス液が選択的に供給される。
【０１１２】
スクラブ洗浄処理時には、モータ６４が回動軸６５を回転させる。これにより、アーム６６が水平面内で回動し、ブラシ洗浄具７０が回動軸６５を中心として基板Ｗの外方位置と基板Ｗの中心の上方位置との間で移動する。モータ６４には、図示しない昇降機構が設けられている。昇降機構は、回動軸６５を上昇および下降させることにより、基板Ｗの外方位置、および基板Ｗの中心の上方位置でブラシ洗浄具７０を下降および上昇させる。
【０１１３】
スクラブ洗浄処理の開始時には、表面が上方に向けられた状態の基板Ｗがスピンチャック６１により回転される。また、供給管７２を通して液吐出ノズル７１に洗浄液またはリンス液が供給される。これにより、回転する基板Ｗの表面に洗浄液またはリンス液が供給される。この状態で、ブラシ洗浄具７０が回動軸６５およびアーム６６により揺動および昇降動作される。それにより、基板Ｗの表面に対してスクラブ洗浄処理が行われる。なお、表面洗浄ユニットＳＳにおいては吸着式のスピンチャック６１を用いているため、基板Ｗの周縁部および外周端部も同時に洗浄することができる。
【０１１４】
次に、図１０を用いて、裏面洗浄ユニットＳＳＲが図９に示した表面洗浄ユニットＳＳと異なる点を説明する。図１０に示すように、裏面洗浄ユニットＳＳＲは、基板Ｗの下面を真空吸着により保持する吸着式のスピンチャック６１の代わりに、基板Ｗの外周端部を保持するメカチャック式のスピンチャック８１を備える。スクラブ洗浄処理およびリンス処理を行う場合に、基板Ｗはスピンチャック６１上の回転式保持ピン８２によりその下面の周縁部および外周端部が保持された状態で水平姿勢を維持しつつ回転される。
【０１１５】
上記のように、裏面洗浄ユニットＳＳＲには、裏面が上方に向けられた状態の基板Ｗが搬入される。そのため、基板Ｗは裏面が上方に向けられた状態でスピンチャック８１により保持される。そして、基板Ｗの裏面に対して、上記同様のスクラブ洗浄処理が行われる。
【０１１６】
（１−８）第１の実施の形態の効果
第１の実施の形態では、メインロボットＭＲのハンドＭＲＨ２を後退させて反転ユニットＲＴ１，ＲＴ２から反転後の基板Ｗを搬出する際に、メインロボットＭＲのハンドＭＲＨ１を上下方向に移動させることなくそのままの高さで前進させることにより反転ユニットＲＴ１，ＲＴ２に反転前の基板Ｗを搬入することができる。
【０１１７】
この場合、反転ユニットＲＴ１，ＲＴ２から基板Ｗを搬出してから反転ユニットＲＴ１，ＲＴ２に基板Ｗを搬入するまでの間にハンドＭＲＨ１，ＭＲＨ２の高さを調整する必要がないので、反転ユニットＲＴ１，ＲＴ２への基板Ｗの搬出入を迅速に行うことができる。それにより、基板処理装置１００におけるスループットを向上させることができる。
【０１１８】
また、第１の実施の形態では、反転ユニットＲＴ１，ＲＴ２の第１可動板３６ａ、第２可動板３６ｂおよび固定板３２にストライプ状の切欠き領域が形成されているため、メインロボットＭＲのハンドＭＲＨ１，ＭＲＨ２がその切欠き領域を通って上下方向に移動することができる。
【０１１９】
この場合、支持ピン３９ａ，３９ｂ，３９ｃ，３９ｄの長さが短くても、ハンドＭＲＨ１，ＭＲＨ２が切欠き領域を通って下降することにより、ハンドＭＲＨ１，ＭＲＨ２が第１可動板３６ａ、第２可動板３６ｂおよび固定板３２に接触することなく、支持ピン３９ａ，３９ｂ，３９ｃ，３９ｄ上に基板Ｗを載置することができる。また、支持ピン３９ａ，３９ｂ，３９ｃ，３９ｄの長さが短くても、ハンドＭＲＨ１，ＭＲＨ２が切欠き領域を通って上昇することにより、ハンドＭＲＨ１，ＭＲＨ２が第１可動板３６ａ、第２可動板３６ｂおよび固定板３２に接触することなく、支持ピン３９ａ，３９ｂ，３９ｃ，３９ｄ上に載置された基板Ｗを受け取ることができる。これにより、反転ユニットＲＴ1，ＲＴ２の小型化が可能となる。
【０１２０】
また、第１の実施の形態では、反転ユニットＲＴ１により保持される基板Ｗは、水平軸ＨＡよりも上方に位置する状態では表面が上方に向けられた状態となり、水平軸ＨＡよりも下方に位置する状態では裏面が上方に向けられた状態となる。また、反転ユニットＲＴ２により保持される基板Ｗは、水平軸ＨＡよりも上方に位置する状態では裏面が上方に向けられた状態となり、水平軸ＨＡよりも下方に位置する状態では表面が上方に向けられた状態となる。
【０１２１】
そのため、基板Ｗが水平軸ＨＡよりも上方に位置するか水平軸ＨＡよりも下方に位置するかを把握することにより、その基板Ｗのどちらの面が上方に向けられているかを判別することができる。したがって、例えば停電等により基板処理装置１００の動作が停止しても、反転ユニットＲＴ１，ＲＴ２に保持された基板Ｗのどちらの面が上方に向けられているかを瞬時に判別することができる。
【０１２２】
（２）第２の実施の形態
以下、本発明の第２の実施の形態に係る基板処理装置について、第１の実施の形態に係る基板処理装置と異なる点を説明する。
【０１２３】
（２−１）基板処理装置の構成
図１１（ａ）は本発明の第２の実施の形態に係る基板処理装置の平面図であり、図１１（ｂ）は図１１（ａ）のＢ−Ｂ線断面を模式的に示す図である。図１１（ａ）および図１１（ｂ）に示すように、第２の実施の形態に係る基板処理装置１００ａは、反転ユニットＲＴ１，ＲＴ２および基板載置部ＰＡＳＳ１，ＰＡＳＳ２をそれぞれ２つずつ備える。
【０１２４】
（２−２）メインロボットの動作
次に、図１１を参照しながら第２の実施の形態におけるメインロボットＭＲの動作の概要について説明する。メインロボットＭＲは、ハンドＭＲＨ１，ＭＲＨ２により２つの基板載置部ＰＡＳＳ１からそれぞれ未処理の基板Ｗを受け取る。次に、メインロボットＭＲはハンドＭＲＨ１，ＭＲＨ２に保持する２枚の基板Ｗを表面洗浄ユニットＳＳの２つに順に搬入する。次に、メインロボットＭＲはハンドＭＲＨ１，ＭＲＨ２により２つの表面洗浄ユニットＳＳから表面洗浄処理後の２枚の基板Ｗを順に搬出する。
【０１２５】
次に、メインロボットＭＲはハンドＭＲＨ１，ＭＲＨ２に保持する２枚の基板Ｗを反転ユニットＲＴ１の一方に搬入する。次に、メインロボットＭＲはハンドＭＲＨ１，ＭＲＨ２により反転ユニットＲＴ１の他方から裏面が上方に向けられた２枚の基板Ｗを搬出する。次に、メインロボットＭＲはハンドＭＲＨ１，ＭＲＨ２に保持する２枚の基板Ｗを裏面洗浄ユニットＳＳＲの２つに順に搬入する。次に、メインロボットＭＲはハンドＭＲＨ１，ＭＲＨ２により２つの裏面洗浄ユニットＳＳＲから裏面洗浄処理後の２枚の基板Ｗを順に搬出する。
【０１２６】
次に、メインロボットＭＲはハンドＭＲＨ１，ＭＲＨ２に保持する２枚の基板Ｗを反転ユニットＲＴ２の一方に搬入する。次に、メインロボットＭＲはハンドＭＲＨ１，ＭＲＨ２により反転ユニットＲＴ２の他方から表面が上方に向けられた２枚の基板Ｗを搬出する。次に、メインロボットＭＲはハンドＭＲＨ１，ＭＲＨ２に保持する２枚の基板Ｗを２つの基板載置部ＰＡＳＳ２にそれぞれ載置する。メインロボットＭＲは、このような一連の動作を連続的に行う。
【０１２７】
（２−３）反転ユニットの動作
次に、反転ユニットＲＴ１，ＲＴ２の動作について説明する。図１２および図１３は、反転ユニットＲＴ１，ＲＴ２の動作について説明するための図である。図１２（ａ）に示すように、第１可動板３６ａと固定板３２との間および第２可動板３６ｂと固定板３２との間に基板Ｗを保持したハンドＭＲＨ１，ＭＲＨ２が同時に前進する。そして、図１２（ｂ）に示すように、ハンドＭＲＨ１，ＭＲＨ２が同時に下降するとともに後退する。それにより、支持ピン３９ａ，３９ｄ上に基板Ｗが載置される。この場合、反転ユニットＲＴ１においては表面が上方に向けられた基板Ｗが支持ピン３９ａ，３９ｄ上に載置され、反転ユニットＲＴ２においては裏面が上方に向けられた基板Ｗが支持ピン３９ａ，３９ｄ上に載置される。
【０１２８】
続いて、図１２（ｃ）に示すように、支持部材３５ａがシリンダ３７ａ（図４（ａ））により下降されるとともに、支持部材３５ｂがシリンダ３７ｂ（図４（ａ））により上昇される。それにより、一方の基板Ｗが第１可動板３６ａの支持ピン３９ｃと固定板３２の支持ピン３９ａとにより保持され、他方の基板Ｗが第２可動板３６ｂの支持ピン３９ｄと固定板３２の支持ピン３９ｂとにより保持される。
【０１２９】
その状態で、図１２（ｄ）に示すように、第１可動板３６ａ、固定板３２および第２可動板３６ｂがロータリアクチュエータ３８により一体的に水平軸ＨＡの周りで１８０度回転される。それにより、支持ピン３９ａ，３９ｃにより保持された基板Ｗおよび支持ピン３９ｂ，３９ｄにより保持された基板Ｗが反転される。この場合、反転ユニットＲＴ１においては基板Ｗの裏面が上方に向けられ、反転ユニットＲＴ２においては基板Ｗの表面が上方に向けられる。
【０１３０】
続いて、図１３（ｅ）に示すように、支持部材３５ａがシリンダ３７ａにより下降されるとともに、支持部材３５ｂがシリンダ３７ｂにより上昇される。それにより、第１可動板３６ａが下降するとともに第２可動板３６ｂが上昇する。そのため、一方の基板Ｗは第１可動板３６ａの支持ピン３９ｃに支持された状態となり、他方の基板Ｗは固定板３２の支持ピン３９ｂに支持された状態となる。
【０１３１】
その状態で、図１３（ｆ）に示すように、ハンドＭＲＨ１，ＭＲＨ２が支持ピン３９ｂに支持された基板Ｗの下方および支持ピン３９ｃに支持された基板Ｗの下方に前進するとともに上昇する。それにより、支持ピン３９ｂに支持された基板ＷがハンドＭＲＨ１により受け取られ、支持ピン３９ｃに支持された基板ＷがハンドＭＲＨ２により受け取られる。その後、図１３（ｇ）に示すように、ハンドＭＲＨ１，ＭＲＨ２が同時に後退することにより、２枚の基板Ｗが反転ユニットＲＴ１，ＲＴ２から搬出される。
【０１３２】
（２−４）第２の実施の形態の効果
第２の実施の形態では、メインロボットＭＲのハンドＭＲＨ１，ＭＲＨ２により２枚の基板Ｗが反転ユニットＲＴ１，ＲＴ２に同時に搬入され、反転ユニットＲＴ１，ＲＴ２は２枚の基板Ｗを同時に反転させる。その後、メインロボットＭＲのハンドＭＲＨ１，ＭＲＨ２により２枚の基板Ｗが反転ユニットＲＴ１，ＲＴ２から同時に搬出される。
【０１３３】
この場合、反転ユニットＲＴ１，ＲＴ２への基板Ｗの搬出入を迅速に行うことができるとともに、複数の基板Ｗを効率よく反転させることができる。それにより、基板処理装置１００におけるスループットを向上させることができる。
【０１３４】
（３）第３の実施の形態
以下、本発明の第３の実施の形態に係る基板処理装置について、第１の実施の形態に係る基板処理装置と異なる点を説明する。第３の実施の形態に係る基板処置装置は、反転ユニットＲＴ１，ＲＴ２の代わりに、以下に示す反転ユニットＲＴ１ａ，ＲＴ２ａを備える。
【０１３５】
図１４（ａ）は、反転ユニットＲＴ１ａ，ＲＴ２ａの側面図であり、図１４（Ｂ）は、反転ユニットＲＴ１ａ，ＲＴ２ａの斜視図である。図１４（ａ）および図１４（ｂ）を用いて、反転ユニットＲＴ１ａ，ＲＴ２ａが反転ユニットＲＴ１，ＲＴ２と異なる点を説明する。なお、反転ユニットＲＴ１ａ，ＲＴ２ａは互いに同じ構成を有する。
【０１３６】
図１４（ａ）および図１４（ｂ）に示すように、反転ユニットＲＴ１ａ，ＲＴ２ａは、固定板３２の代わりに、第３可動板４１ａ、第４可動板４１ｂ、１対のリニアガイド４２ａ，４２ｂ、および１対のシリンダ４３ａ，４３ｂを含む。
【０１３７】
第３可動板４１ａは、第１可動板３６ａに対向するように設けられ、連結部材４４ａを介してリニアガイド４２ａに摺動可能に取り付けられている。第４可動板４１ｂは、第２可動板３６ｂに対向するように設けられ、連結部材４４ｂを介してリニアガイド４２ｂに摺動可能に取り付けられている。第３可動板４１ａおよび第４可動板４１ｂはそれぞれ第１可動板３６ａおよび第２可動板３６ｂと同じ形状を有する。
【０１３８】
リニアガイド４２ａ，４２ｂは、それぞれ第３可動板４１ａおよび第４可動板４１ｂに垂直な方向に延びている。第３可動板４１ａはシリンダ４３ａによりリニアガイド４２ａに沿って昇降され、第４可動板４１ｂはシリンダ４３ｂによりリニアガイド４２ｂに沿って昇降される。また、第１可動板３６ａに対向する第３可動板４１ａの一面には複数の支持ピン３９ａが設けられており、第２可動板３６ａに対向する第４可動板４１ｂの一面には複数の支持ピン３９ｂが設けられている。
【０１３９】
なお、第１可動板３６ａ、第２可動板３６ｂ、第３可動板４１ａおよび第４可動板４１ｂのそれぞれの離間距離は、第３可動板４１ａと第２可動板３６ｂとが最も離れるとともに第４可動板４１ｂと第１可動板３６ａとが最も離れた状態で、支持ピン３９ｃの先端と支持ピン３９ｄの先端との間の距離がハンドＭＲＨ１とハンドＭＲＨ２との高さの差Ｍ１よりも大きくなりかつ支持ピン３９ａの先端と支持ピン３９ｂの先端との間の距離がハンドＭＲＨ１とハンドＭＲＨ２との高さの差Ｍ１よりも小さくなる範囲で任意に設定可能である。
【０１４０】
反転装置ＲＴ１ａ，ＲＴ２ａにおいては、第１可動板３６ａと第３可動板４１ａとの間に搬入された基板Ｗを保持する際に、シリンダ３７ａ，４３ａにより第１可動板３６ａおよび第３可動板４１ａが互いに近づくように昇降される。それにより、支持ピン３９ａ，３９ｃにより基板Ｗが保持される。また、支持ピン３９ａ，３９ｃによる基板Ｗの保持を解除する際には、シリンダ３７ａ，４３ａにより第１可動板３６ａおよび第３可動板４１ａが互いに遠ざかるように昇降される。
【０１４１】
また、第２可動板３６ｂと第４可動板４１ｂとの間に搬入された基板Ｗを保持する際には、シリンダ３７ｂ，４３ｂにより第２可動板３６ｂおよび第４可動板４１ｂが互いに近づくように昇降される。それにより、支持ピン３９ｂ，３９ｄにより基板Ｗが保持される。また、支持ピン３９ｂ，３９ｄによる基板Ｗの保持を解除する際には、シリンダ３７ｂ，４３ｂにより第２可動板３６ｂおよび第４可動板４１ｂが互いに遠ざかるように昇降される。
【０１４２】
第３の実施の形態においても、第１の実施の形態と同様に、メインロボットＭＲのハンドＭＲＨ２を後退させて反転ユニットＲＴ１ａ，ＲＴ２ａから反転後の基板Ｗを搬出する際に、メインロボットＭＲのハンドＭＲＨ１を上下方向に移動させることなくそのままの高さで前進させることにより反転ユニットＲＴ１ａ，ＲＴ２ａに反転前の基板Ｗを搬入することができる。
【０１４３】
それにより、反転ユニットＲＴ１ａ，ＲＴ２ａから基板Ｗを搬出してから反転ユニットＲＴ１ａ，ＲＴ２ａに基板Ｗを搬入するまでの間にハンドＭＲＨ１，ＭＲＨ２の高さを調整する必要がないので、反転ユニットＲＴ１ａ，ＲＴ２ａへの基板Ｗの搬出入を迅速に行うことができる。それにより、基板処理装置１００におけるスループットを向上させることができる。
【０１４４】
また、第３の実施の形態では、第１可動板３６ａ、第２可動板３６ｂ、第３可動板４１ａおよび第４の可動板４１ｂをそれぞれ独立に駆動することができるので、支持ピン３９ａ，３９ｃによる基板Ｗの保持位置と支持ピン３９ｂ，３９ｄによる基板の保持位置との間隔を任意に調整することが可能となる。
【０１４５】
なお、上記第２の実施の形態において、反転ユニットＲＴ１，ＲＴ２の代わりに反転ユニットＲＴ１ａ，ＲＴ２ａを用いてもよい。
【０１４６】
（４）他の実施の形態
上記第１〜第３の実施の形態では、基板Ｗの表面洗浄処理後に基板Ｗの裏面洗浄処理後を行うが、これに限らず、基板Ｗの裏面洗浄処理後に基板Ｗの表面洗浄処理を行ってもよい。この場合、基板Ｗに裏面洗浄処理が施される前に、その基板Ｗは反転ユニットＲＴ１（または反転ユニットＲＴ１ａ）により裏面が上方に向くように反転される。そして、基板Ｗに裏面洗浄処理が施された後、その基板Ｗは反転ユニットＲＴ２（または反転ユニットＲＴ２ａ）により表面が上方を向くように反転される。その後、基板Ｗに表面洗浄処理が施される。
【０１４７】
また、上記第１〜第３の実施の形態では、表面洗浄ユニットＳＳおよび裏面洗浄ユニットＳＳＲにおいて、ブラシを用いて基板Ｗの表面および裏面を洗浄するが、これに限らず、薬液を用いて基板Ｗの表面および裏面を洗浄してもよい。
【０１４８】
また、上記第１〜第３の実施の形態では、反転ユニットＲＴ１（または反転ユニットＲＴ１ａ）により裏面洗浄処理前の基板Ｗを反転し、反転ユニットＲＴ２（または反転ユニットＲＴ２ａ）により裏面洗浄処理後の基板Ｗを反転するが、これに限定されず、反転ユニットＲＴ２（または反転ユニットＲＴ２ａ）により裏面洗浄処理前の基板Ｗを反転し、反転ユニットＲＴ１（または反転ユニットＲＴ２ａ）により裏面洗浄処理後の基板Ｗを反転してもよい。
【０１４９】
また、上記第１および第３の実施の形態では、メインロボットＭＲのハンドＭＲＨ１により反転ユニットＲＴ１，ＲＴ２（または反転ユニットＲＴ１ａ，ＲＴ２ａ）に基板Ｗを搬入し、メインロボットＭＲのハンドＭＲＨ２により反転ユニットＲＴ１，ＲＴ２（または反転ユニットＲＴ１ａ，ＲＴ２ａ）から基板Ｗを搬出するが、メインロボットＭＲのハンドＭＲＨ２により反転ユニットＲＴ１，ＲＴ２（または反転ユニットＲＴ１ａ，ＲＴ２ａ）に基板Ｗを搬入し、メインロボットＭＲのハンドＭＲＨ１により反転ユニットＲＴ１，ＲＴ２（または反転ユニットＲＴ１ａ，ＲＴ２ａ）から基板Ｗを搬出してもよい。
【０１５０】
この場合、反転ユニットＲＴ１，ＲＴ２（反転ユニットＲＴ１ａ，ＲＴ２ａ）においては、反転前の基板Ｗは水平軸ＨＡよりも下方で保持された状態となり、反転後の基板Ｗは水平軸ＨＡよりも上方で保持された状態となる。
【０１５１】
また、上記第１および第３の実施の形態では、メインロボットＭＲが、反転ユニットＲＴ１，ＲＴ２（または反転ユニットＲＴ１ａ，ＲＴ２ａ）から反転後の基板Ｗを搬出した後、反転ユニットＲＴ１，ＲＴ２（または反転ユニットＲＴ１ａ，ＲＴ２ａ）に反転前の基板Ｗを搬入するが、これに限らず、反転ユニットＲＴ１，ＲＴ２（または反転ユニットＲＴ１ａ，ＲＴ２ａ）に反転前の基板Ｗを搬入した後、反転ユニットＲＴ１，ＲＴ２（または反転ユニットＲＴ１ａ，ＲＴ２ａ）から反転後の基板Ｗを搬出してもよい。
【０１５２】
また、上記第１〜第３の実施の形態では、裏面洗浄処理前の基板Ｗを反転ユニットＲＴ１（または反転ユニットＲＴ１ａ）により反転し、裏面洗浄処理後の基板Ｗを反転ユニットＲＴ２（または反転ユニットＲＴ２ａ）により反転するが、裏面洗浄処理前の基板Ｗおよび裏面洗浄処理後の基板Ｗを共通の反転ユニットにより反転してもよい。
【０１５３】
また、上記第１および第２の実施の形態では、支持ピン３９ａ，３９ｂ，３９ｃ，３９ｄが互いに同じ長さを有するが、第１可動板３６ａおよび第２可動板３６ｂが固定板３２から最も離れた状態で、支持ピン３９ｃの先端と支持ピン３９ｄの先端との間の距離がハンドＭＲＨ１とハンドＭＲＨ２との高さの差Ｍ１よりも大きくなりかつ支持ピン３９ａの先端と支持ピン３９ｂの先端との間の距離がハンドＭＲＨ１とハンドＭＲＨ２との高さの差Ｍ１よりも小さくなる範囲で各支持ピン３９ａ，３９ｂ，３９ｃ，３９ｄの長さを任意に設定可能である。
【０１５４】
同様に、上記第３の実施の形態において、第３可動板４１ａと第２可動板３６ｂとが最も離れるとともに第４可動板４１ｂと第１可動板３６ａとが最も離れた状態で、支持ピン３９ｃの先端と支持ピン３９ｄの先端との間の距離がハンドＭＲＨ１とハンドＭＲＨ２との高さの差Ｍ１よりも大きくなりかつ支持ピン３９ａの先端と支持ピン３９ｂの先端との間の距離がハンドＭＲＨ１とハンドＭＲＨ２との高さの差Ｍ１よりも小さくなる範囲で各支持ピン３９ａ，３９ｂ，３９ｃ，３９ｄの長さを任意に設定可能である。
【０１５５】
また、上記第１の実施の形態では、固定板３２が支持板３１に固定され、第１可動板３６ａおよび第２可動板３６ｂが支持板３１に対して移動可能に設けられているが、第１可動板３６ａおよび第２可動板３６ｂが支持板３１に固定され、固定板３２が支持板３１に対して移動可能に設けられてもよい。
【０１５６】
また、上記第１〜第３の実施の形態では、インデクサロボットＩＲおよびメインロボットＭＲとして、関節を動かすことにより直線的にハンドの進退動作を行う多関節型搬送ロボットを用いているが、これに限定されず、基板Ｗに対してハンドを直線的にスライドさせて進退動作を行う直動型搬送ロボットを用いてもよい。
【０１５７】
また、インデクサロボットＩＲおよびメインロボットＭＲの動作順序は、反転ユニットＲＴ１、ＲＴ２、表面洗浄ユニットＳＳおよび裏面洗浄ユニットＳＳＲの処理速度等に応じて適宜変更してもよい。
【０１５８】
また、反転ユニットＲＴ１、ＲＴ２（または反転ユニットＲＴ１ａ，ＲＴ２ａ）、表面洗浄ユニットＳＳ、裏面洗浄ユニットＳＳＲおよび基板載置部ＰＡＳＳ１，ＰＡＳＳ２の個数は、これらの処理速度等に応じて適宜変更してよい。
【０１５９】
（５）請求項の各構成要素と実施の形態の各要素との対応
以下、請求項の各構成要素と実施の形態の各要素との対応の例について説明するが、本発明は下記の例に限定されない。
【０１６０】
上記実施の形態では、反転ユニットＲＴ１，ＲＴ２，ＲＴ１ａ，ＲＴ２ａが反転装置の例であり、固定板３２、第１可動板３６ａ、支持ピン３９ａ，３９ｃ、シリンダ３７ａ，４３ａおよび第３可動板４１ａが第１の保持機構の例であり、固定板３２、第２可動板３６ｂ、支持ピン３９ｂ，３９ｄ、シリンダ３７ｂ，４３ｂおよび第４可動板４１ｂが第２の保持機構の例であり、支持板３１が支持部材の例であり、ロータリアクチュエータ３８が回転装置の例であり、固定板３２、第３可動板４１ａおよび第４可動板４１ｂが共通の反転保持部材の例であり、第１可動板３６ａが第１の反転保持部材の例であり、第２可動板３６ｂが第２の反転保持部材の例であり、支持ピン３９ａが第１の支持部の例であり、支持ピン３９ｃが第２の支持部の例であり、支持ピン３９ｂが第３の支持部の例であり、支持ピン３９ｄが第４の支持部の例であり、シリンダ３７ａ，４３ａが第１の駆動機構の例であり、シリンダ３７ｂ，４３ｂが第２の駆動機構の例である。
【０１６１】
また、メインロボットＭＲが搬送手段の例であり、ハンドＭＲＨ１が第１の搬送保持部の例であり、ハンドＭＲＨ２が第２の搬送保持部の例であり、爪部Ｈ１１，Ｈ１２が保持部分の例であり、第３可動板４１ａが第３の反転保持部材の例であり、第４可動板４１ｂが第４の反転保持部材の例であり、裏面洗浄ユニットＳＳＲが第１の洗浄処理部の例であり、表面洗浄ユニットＳＳが第２の洗浄処理部の例である。
【０１６２】
請求項の各構成要素として、請求項に記載されている構成または機能を有する他の種々の要素を用いることもできる。
【産業上の利用可能性】
【０１６３】
本発明は、種々の基板の処理に用いることができる。
【図面の簡単な説明】
【０１６４】
【図１】第１の実施の形態に係る基板処理装置の構成を示す図である。
【図２】第１の実施の形態に係る基板処理装置の構成を示す図である。
【図３】メインロボットの詳細を示す図である。
【図４】反転ユニットの詳細を示す図である。
【図５】反転ユニットの動作を示す図である。
【図６】反転ユニットの動作を示す図である。
【図７】反転ユニットの動作を示す図である。
【図８】メインロボットによる基板の搬出入動作を示す図である。
【図９】表面洗浄ユニットの構成を示す図である。
【図１０】裏面洗浄ユニットの構成を示す図である。
【図１１】本発明の第２の実施の形態に係る基板処理装置の構成を示す図である。
【図１２】第２の実施の形態における反転ユニットの動作を示す図である。
【図１３】第２の実施の形態における反転ユニットの動作を示す図である。
【図１４】第３の実施の形態における反転ユニットの構成を示す図である。
【符号の説明】
【０１６５】
１０  インデクサブロック
１１  処理ブロック
３１  支持板
３２  固定板
３６ａ  第１可動板
３６ｂ  第２可動板
３７ａ，３７ｂ，４３ａ，４３ｂ  シリンダ
３８  ロータリアクチュエータ
３９ａ，３９ｂ，３９ｃ，３９ｄ  支持ピン
４１ａ  第３可動板
４１ｂ  第４可動板
１００，１００ａ  基板処理装置
ＭＲ  メインロボット
ＭＲＨ１，ＭＲＨ２  ハンド
ＲＴ１，ＲＴ２，ＲＴ１ａ，ＲＴ２ａ  反転ユニット
ＳＳ  表面洗浄ユニット
ＳＳＲ  裏面洗浄ユニット
Ｗ  基板
【図１】
2008166368.tif 000003
【図２】
2008166368.tif 000004
【図３】
2008166368.tif 000005
【図４】
2008166368.tif 000006
【図５】
2008166368.tif 000007
【図６】
2008166368.tif 000008
【図７】
2008166368.tif 000009
【図８】
2008166368.tif 000010
【図９】
2008166368.tif 000011
【図１０】
2008166368.tif 000012
【図１１】
2008166368.tif 000013
【図１２】
2008166368.tif 000014
【図１３】
2008166368.tif 000015
【図１４】
2008166368.tif 000016
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
基板を第１の軸に垂直な状態で保持する第１の保持機構と、
基板を前記第１の軸に垂直な状態で保持する第２の保持機構と、
前記第１および第２の保持機構を前記第１の軸の方向に重なるように支持する支持部材と、
前記支持部材を前記第１および第２の保持機構とともに前記第１の軸と略垂直な第２の軸の周りで一体的に回転させる回転装置とを備えることを特徴とする反転装置。
【請求項２】
前記第１および第２の保持機構は、前記第１の軸に垂直な一面および他面を有する共通の反転保持部材を含み、
前記第１の保持機構は、
前記共通の反転保持部材の前記一面に設けられ、基板の外周部を支持する複数の第１の支持部と、
前記共通の反転保持部材の前記一面に対向するように設けられた第１の反転保持部材と、
前記共通の反転保持部材に対向する前記第１の反転保持部材の面に設けられ、基板の外周部を支持する複数の第２の支持部と、
前記第１の反転保持部材と前記共通の反転保持部材とが前記第１の軸の方向において互いに離間した状態と前記第１の反転保持部材と前記共通の反転保持部材とが互いに近接した状態とに選択的に移行するように前記第１の反転保持部材および前記共通の反転保持部材の少なくとも一方を移動させる第１の駆動機構とを含み、
前記第２の保持機構は、
前記共通の反転保持部材の前記他面に設けられ、基板の外周部を支持する複数の第３の支持部と、
前記共通の反転保持部材の前記他面に対向するように設けられた第２の反転保持部材と、
前記共通の反転保持部材に対向する前記第２の反転保持部材の面に設けられ、基板の外周部を支持する複数の第４の支持部と、
前記第２の反転保持部材と前記共通の反転保持部材とが前記第１の軸の方向において互いに離間した状態と前記第２の反転保持部材と前記共通の反転保持部材とが互いに近接した状態とに選択的に移行するように前記第２の反転保持部材および前記共通の反転保持部材の少なくとも一方を移動させる第２の駆動機構とを含むことを特徴とする請求項１記載の反転装置。
【請求項３】
前記第１および第２の保持機構は、搬送手段の第１および第２の搬送保持部により搬入される基板をそれぞれ保持し、
前記第１の保持機構による基板の保持位置と前記第２の保持機構による基板の保持位置との間の距離が前記搬送手段の前記第１の搬送保持部による基板の保持位置と前記第２の搬送保持部による基板の保持位置との間の距離にほぼ等しいことを特徴とする請求項２記載の反転装置。
【請求項４】
前記共通の反転保持部材、前記第１の反転保持部材および前記第２の反転保持部材は、前記搬送手段の前記第１および第２の搬送保持部が前記第１の軸の方向に通過可能な切欠き領域を有することを特徴とする請求項３記載の反転装置。
【請求項５】
表面および裏面を有する基板に処理を行う基板処理装置であって、
基板の前記表面と前記裏面とを反転させる反転装置と、
第１および第２の搬送保持部を有し、前記反転装置に対して基板を搬入および搬出する搬送手段とを備え、
前記反転装置は、
基板を第１の軸に垂直な状態で保持する第１の保持機構と、
基板を前記第１の軸に垂直な状態で保持する第２の保持機構と、
前記第１および第２の保持機構を前記第１の軸の方向に重なるように支持する支持部材と、
前記支持部材を前記第１および第２の保持機構とともに前記第１の軸と略垂直な第２の軸の周りで一体的に回転させる回転装置とを備えることを特徴とする基板処理装置。
【請求項６】
前記第１の保持機構による基板の保持位置と前記第２の保持機構による基板の保持位置との間の距離が前記搬送手段の前記第１の搬送保持部による基板の保持位置と前記第２の搬送保持部による基板の保持位置との間の距離にほぼ等しいことを特徴とする請求項５記載の基板処理装置。
【請求項７】
前記第１および第２の保持機構は、前記第１の軸に垂直な一面および他面を有する共通の反転保持部材を含み、
前記第１の保持機構は、
前記共通の反転保持部材の前記一面に設けられ、基板の外周部を支持する複数の第１の支持部と、
前記共通の反転保持部材の前記一面に対向するように設けられた第１の反転保持部材と、
前記共通の反転保持部材に対向する前記第１の反転保持部材の面に設けられ、基板の外周部を支持する複数の第２の支持部と、
前記第１の反転保持部材と前記共通の反転保持部材とが前記第１の軸の方向において互いに離間した状態と前記第１の反転保持部材と前記共通の反転保持部材とが互いに近接した状態とに選択的に移行するように前記第１の反転保持部材および前記共通の反転保持部材の少なくとも一方を移動させる第１の駆動機構とを含み、
前記第２の保持機構は、
前記共通の反転保持部材の前記他面に設けられ、基板の外周部を支持する複数の第３の支持部と、
前記共通の反転保持部材の前記他面に対向するように設けられた第２の反転保持部材と、
前記共通の反転保持部材に対向する前記第２の反転保持部材の面に設けられ、基板の外周部を支持する複数の第４の支持部と、
前記第２の反転保持部材と前記共通の反転保持部材とが前記第１の軸の方向において互いに離間した状態と前記第２の反転保持部材と前記共通の反転保持部材とが互いに近接した状態とに選択的に移行するように前記第２の反転保持部材および前記共通の反転保持部材の少なくとも一方を移動させる第２の駆動機構とを含むことを特徴とする請求項５または６記載の基板処理装置。
【請求項８】
前記共通の反転保持部材、前記第１の反転保持部材および前記第２の反転保持部材は、前記搬送手段の前記第１および第２の搬送保持部が前記第１の軸の方向に通過可能な切欠き領域を有することを特徴とする請求項７記載の基板処理装置。
【請求項９】
前記搬送手段は、前記第１および第２の搬送保持部を進退させる進退機構を含み、
前記第１および第２の搬送保持部の各々は、進退方向に延びる複数の保持部分を有し、
前記共通の反転保持部材、前記第１の反転保持部材および前記第２の反転保持部材の切欠き領域は、前記第１および第２の搬送保持部の前記複数の保持部分が通過可能な複数の切欠き部を含むことを特徴とする請求項８記載の基板処理装置。
【請求項１０】
前記複数の第１の支持部の先端と前記複数の第４の支持部の先端との間の距離および前記複数の第２の支持部の先端と前記複数の第３の支持部の先端との間の距離が前記搬送手段の前記第１の搬送保持部による基板の保持位置と前記第２の搬送保持部による基板の保持位置との間の距離にほぼ等しく設定されたことを特徴とする請求項７〜９のいずれかに記載の基板処理装置。
【請求項１１】
前記共通の反転保持部材は前記支持部材に固定され、
前記第１の駆動機構は、前記第１の反転保持部材と前記共通の反転保持部材とが互いに離間した状態と前記第１の反転保持部材と前記共通の反転保持部材とが互いに近接した状態とに選択的に移行するように前記第１の反転保持部材を前記共通の反転保持部材に相対的に移動させ、
前記第２の駆動機構は、前記第２の反転保持部材と前記共通の反転保持部材とが互いに離間した状態と前記第２の反転保持部材と前記共通の反転保持部材とが互いに近接した状態とに選択的に移行するように前記第２の反転保持部材を前記共通の反転保持部材に相対的に移動させることを特徴とする請求項７〜１０のいずれかに記載の基板処理装置。
【請求項１２】
前記共通の反転保持部材は、前記第１の反転保持部材に対向するように設けられた第３の反転保持部材と、
前記第２の反転保持部材に対向するように設けられた第４の反転保持部材とを含み、
前記複数の第１の支持部は、前記第１の反転保持部材に対向する前記第３の反転保持部材の面に設けられ、
前記複数の第３の支持部は、前記第２の反転保持部材に対向する前記第４の反転保持部材の面に設けられ、
前記第１の駆動機構は、前記第１の反転保持部材と前記第３の反転保持部材とが互いに離間した状態と前記第１の反転保持部材と前記第３の反転保持部材とが互いに近接した状態とに選択的に移行するように前記第１の反転保持部材および前記第３の反転保持部材の少なくとも一方を移動させ、
前記第２の駆動機構は、前記第２の反転保持部材と前記第４の反転保持部材とが互いに離間した状態と前記第２の反転保持部材と前記第４の反転保持部材とが互いに近接した状態とに選択的に移行するように前記第２の反転保持部材および前記第４の反転保持部材の少なくとも一方を移動させることを特徴とする請求項７〜１０のいずれかに記載の基板処理装置。
【請求項１３】
基板の裏面を洗浄する第１の洗浄処理部をさらに備え、
前記搬送手段は、前記反転装置と前記第１の洗浄処理部との間で基板を搬送することを特徴とする請求項５〜１２のいずれかに基板処理装置。
【請求項１４】
基板の表面を洗浄する第２の洗浄処理部とをさらに備え、
前記搬送手段は、前記反転装置、前記第１の洗浄処理部および前記第２の洗浄処理部の間で基板を搬送することを特徴とする請求項１３記載の基板処理装置。
【手続補正２】
【補正対象書類名】明細書
【補正対象項目名】００１２
【補正方法】変更
【補正の内容】
【００１２】
（２）第１および第２の保持機構は、第１の軸に垂直な一面および他面を有する共通の反転保持部材を含み、第１の保持機構は、共通の反転保持部材の一面に設けられ、基板の外周部を支持する複数の第１の支持部と、共通の反転保持部材の一面に対向するように設けられた第１の反転保持部材と、共通の反転保持部材に対向する第１の反転保持部材の面に設けられ、基板の外周部を支持する複数の第２の支持部と、第１の反転保持部材と共通の反転保持部材とが第１の軸の方向において互いに離間した状態と第１の反転保持部材と共通の反転保持部材とが互いに近接した状態とに選択的に移行するように第１の反転保持部材および共通の反転保持部材の少なくとも一方を移動させる第１の駆動機構とを含み、第２の保持機構は、共通の反転保持部材の他面に設けられ、基板の外周部を支持する複数の第３の支持部と、共通の反転保持部材の他面に対向するように設けられた第２の反転保持部材と、共通の反転保持部材に対向する第２の反転保持部材の面に設けられ、基板の外周部を支持する複数の第４の支持部と、第２の反転保持部材と共通の反転保持部材とが第１の軸の方向において互いに離間した状態と第２の反転保持部材と共通の反転保持部材とが互いに近接した状態とに選択的に移行するように第２の反転保持部材および共通の反転保持部材の少なくとも一方を移動させる第２の駆動機構とを含んでもよい。
【手続補正３】
【補正対象書類名】明細書
【補正対象項目名】００２５
【補正方法】変更
【補正の内容】
【００２５】
この基板処理装置においては、搬送手段の第１および第２の搬送保持部により反転装置に対する基板の搬出入が行われる。反転装置においては、搬入された基板が第１または第２の保持機構により第１の軸に垂直な状態で保持される。その状態で、回転装置により第１および第２の保持機構が第１の軸と略垂直な第２の軸の周りで一体的に回転される。それにより、第１または第２の保持機構により保持された基板が反転される。
【手続補正４】
【補正対象書類名】明細書
【補正対象項目名】００３２
【補正方法】変更
【補正の内容】
【００３２】
（７）第１および第２の保持機構は、第１の軸に垂直な一面および他面を有する共通の反転保持部材を含み、第１の保持機構は、共通の反転保持部材の一面に設けられ、基板の外周部を支持する複数の第１の支持部と、共通の反転保持部材の一面に対向するように設けられた第１の反転保持部材と、共通の反転保持部材に対向する第１の反転保持部材の面に設けられ、基板の外周部を支持する複数の第２の支持部と、第１の反転保持部材と共通の反転保持部材とが第１の軸の方向において互いに離間した状態と第１の反転保持部材と共通の反転保持部材とが互いに近接した状態とに選択的に移行するように第１の反転保持部材および共通の反転保持部材の少なくとも一方を移動させる第１の駆動機構とを含み、第２の保持機構は、共通の反転保持部材の他面に設けられ、基板の外周部を支持する複数の第３の支持部と、共通の反転保持部材の他面に対向するように設けられた第２の反転保持部材と、共通の反転保持部材に対向する第２の反転保持部材の面に設けられ、基板の外周部を支持する複数の第４の支持部と、第２の反転保持部材と共通の反転保持部材とが第１の軸の方向において互いに離間した状態と第２の反転保持部材と共通の反転保持部材とが互いに近接した状態とに選択的に移行するように第２の反転保持部材および共通の反転保持部材の少なくとも一方を移動させる第２の駆動機構とを含んでもよい。
【手続補正５】
【補正対象書類名】明細書
【補正対象項目名】００４４
【補正方法】変更
【補正の内容】
【００４４】
この場合、搬送手段の第１および第２の搬送保持部を第１の軸と平行な方向に移動させることなく、第１および第２の搬送保持部の一方により複数の第１および第４の支持部の一方から基板を受け取るとともに第１および第２の搬送保持部の他方により複数の第１および第４の支持部の他方に反転前の基板を載置することができる。
【手続補正６】
【補正対象書類名】明細書
【補正対象項目名】００４５
【補正方法】変更
【補正の内容】
【００４５】
また、搬送手段の第１および第２の搬送保持部を第１の軸と平行な方向に移動させることなく、第１および第２の搬送保持部の一方により複数の第２および第３の支持部の一方から基板を受け取るとともに第１および第２の搬送保持部の他方により複数の第２および第３の支持部の他方に反転前の基板を載置することができる。
【手続補正７】
【補正対象書類名】明細書
【補正対象項目名】００５０
【補正方法】変更
【補正の内容】
【００５０】
この場合、第１の駆動機構によって第１および第３の反転保持部材が互いに近づくように移動されることにより、基板が複数の第１および第２の支持部により保持される。また、第２の駆動機構によって第２および第４の反転保持部材が互いに近づくように移動されることにより、基板が複数の第３および第４の支持部により保持される。
【手続補正８】
【補正対象書類名】明細書
【補正対象項目名】０１０５
【補正方法】変更
【補正の内容】
【０１０５】
次に、図８（ｃ）に示すように、ハンドＭＲＨ１，ＭＲＨ２の高さが維持された状態で、ハンドＭＲＨ２が後退するとともにハンドＭＲＨ１が前進する。ここで、本実施の形態では、第１可動板３６ｂと固定板３２との間の距離Ｍ２（図４）および第２可動板３６ｂと固定板３２の間の距離Ｍ３（図４）はハンドＭＲＨ１とハンドＭＲＨ２との高さの差Ｍ１とほぼ等しく設定されている。そのため、ハンドＭＲＨ２が第１可動板３６ａと固定板３２との間に位置するような高さにある場合には、ハンドＭＲＨ１は第２可動板３６ｂと固定板３２との間に位置するような高さにある。したがって、ハンドＭＲＨ１は前進することにより第２可動板３６ｂと固定板３２との間に移動する。
【手続補正９】
【補正対象書類名】明細書
【補正対象項目名】０１３３
【補正方法】変更
【補正の内容】
【０１３３】
この場合、反転ユニットＲＴ１，ＲＴ２への基板Ｗの搬出入を迅速に行うことができるとともに、複数の基板Ｗを効率よく反転させることができる。それにより、基板処理装置１００ａにおけるスループットを向上させることができる。
【手続補正１０】
【補正対象書類名】明細書
【補正対象項目名】０１３４
【補正方法】変更
【補正の内容】
【０１３４】
（３）第３の実施の形態
以下、本発明の第３の実施の形態に係る基板処理装置について、第１の実施の形態に係る基板処理装置と異なる点を説明する。第３の実施の形態に係る基板処理装置は、反転ユニットＲＴ１，ＲＴ２の代わりに、以下に示す反転ユニットＲＴ１ａ，ＲＴ２ａを備える。
【手続補正１１】
【補正対象書類名】明細書
【補正対象項目名】０１３５
【補正方法】変更
【補正の内容】
【０１３５】
図１４（ａ）は、反転ユニットＲＴ１ａ，ＲＴ２ａの側面図であり、図１４（ｂ）は、反転ユニットＲＴ１ａ，ＲＴ２ａの斜視図である。図１４（ａ）および図１４（ｂ）を用いて、反転ユニットＲＴ１ａ，ＲＴ２ａが反転ユニットＲＴ１，ＲＴ２と異なる点を説明する。なお、反転ユニットＲＴ１ａ，ＲＴ２ａは互いに同じ構成を有する。
【手続補正１２】
【補正対象書類名】明細書
【補正対象項目名】０１４０
【補正方法】変更
【補正の内容】
【０１４０】
反転ユニットＲＴ１ａ，ＲＴ２ａにおいては、第１可動板３６ａと第３可動板４１ａとの間に搬入された基板Ｗを保持する際に、シリンダ３７ａ，４３ａにより第１可動板３６ａおよび第３可動板４１ａが互いに近づくように昇降される。それにより、支持ピン３９ａ，３９ｃにより基板Ｗが保持される。また、支持ピン３９ａ，３９ｃによる基板Ｗの保持を解除する際には、シリンダ３７ａ，４３ａにより第１可動板３６ａおよび第３可動板４１ａが互いに遠ざかるように昇降される。
【手続補正１３】
【補正対象書類名】明細書
【補正対象項目名】０１４４
【補正方法】変更
【補正の内容】
【０１４４】
また、第３の実施の形態では、第１可動板３６ａ、第２可動板３６ｂ、第３可動板４１ａおよび第４の可動板４１ｂをそれぞれ独立に駆動することができるので、支持ピン３９ａ，３９ｃによる基板Ｗの保持位置と支持ピン３９ｂ，３９ｄによる基板Ｗの保持位置との間隔を任意に調整することが可能となる。
【手続補正１４】
【補正対象書類名】明細書
【補正対象項目名】０１４８
【補正方法】変更
【補正の内容】
【０１４８】
また、上記第１〜第３の実施の形態では、反転ユニットＲＴ１（または反転ユニットＲＴ１ａ）により裏面洗浄処理前の基板Ｗを反転し、反転ユニットＲＴ２（または反転ユニットＲＴ２ａ）により裏面洗浄処理後の基板Ｗを反転するが、これに限定されず、反転ユニットＲＴ２（または反転ユニットＲＴ２ａ）により裏面洗浄処理前の基板Ｗを反転し、反転ユニットＲＴ１（または反転ユニットＲＴ１ａ）により裏面洗浄処理後の基板Ｗを反転してもよい。